(57)【要約】要約書なし。【特許請求の範囲】
【請求項１】
電子スワップ取引システムのユーザが、電子スワップオークションにおいて、スワップの買い注文を取得することを可能にする方法であって、
電子スワップ条件シートを用いて、スワップに関する条件を示す機会をユーザに提供する工程と、
該ユーザにより該電子スワップ条件シートを用いて、ユーザにより示される条件を有する該スワップのための電子オークションを提供する工程と
を包含する、方法。
【請求項２】
複数のユーザから、少なくとも１人のゲストユーザを示す機会をユーザに提供する工程と、
該少なくとも１人のゲストユーザに、前記スワップのための前記オークションに参加することを電子的に勧める工程と、
該少なくとも１人のゲストユーザに、該スワップのための該オークションに参加する機会を提供する工程と
をさらに包含する、請求項１に記載の方法。
【請求項３】
前記少なくとも１人のゲストユーザに、前記スワップのための前記オークションに参加することを電子的に勧める工程は、該オークションに参加することの勧誘を示す電子メールを該ゲストユーザに送信する工程を包含する、請求項２に記載の方法。
【請求項４】
前記オークションに参加することの勧誘を示す電子メールを前記ゲストユーザに送信する工程は、該オークションに関するオークションページへのインターネットリンクを含む電子メールを該ゲストユーザに送信する工程を包含する、請求項３に記載の方法。
【請求項５】
前記少なくとも１人のゲストユーザに、前記スワップのための前記オークションに参加することを電子的に勧める工程は、該ゲストユーザのページング、該オークションに参加させる工程を包含する、請求項２に記載の方法。
【請求項６】
前記オークションは一般公開アクションであり、前記少なくとも１人のゲストユーザに、前記スワップのための該オークションに参加する機会を提供する工程は、該スワップの現行の入札額を表示する工程を包含する、請求項２に記載の方法。
【請求項７】
前記現行の入札額は、前記少なくとも１人のゲストユーザにより生成され、
前記スワップの現行の入札額を表示する工程は、該１人のゲストユーザの個人情報を別のゲストユーザに秘密にしておく工程を包含する、請求項６に記載の方法。
【請求項８】
前記オークションは最高入札額を有し、
前記少なくとも１人のゲストユーザに、前記スワップのための該オークションに参加する機会を提供する工程は、シングルアクションを用いて、該少なくとも１人のゲストユーザに、最高入札額を上回る金額を提示する機会を提供する工程を包含する、請求項２に記載の方法。
【請求項９】
前記少なくとも１人のゲストユーザに、前記スワップのための該オークションに参加する機会を提供する工程は、該少なくとも１人のゲストユーザに、入札額を撤回する機会を提供する工程を包含する、請求項２に記載の方法。
【請求項１０】
前記少なくとも１人のゲストユーザに前記スワップのための該オークションに参加する機会を提供する工程は、少なくとも１人のゲストユーザに、代理人により入札する機会を提供する工程を包含する、請求項２に記載の方法。
【請求項１１】
複数のオークションから所望のオークションを前記ユーザに示す機会を提供する工程をさらに包含する、請求項１に記載の方法。
【請求項１２】
前記電子スワップ条件シートを用いて前記ユーザにより示される前記条件を用いて、前記オークションを承認する機会を該ユーザに提供する工程をさらに包含する、請求項１に記載の方法。
【請求項１３】
前記電子スワップ条件シートを用いて前記ユーザにより示されるように、前記スワップのための電子オークションを提供する工程は、入札をモニタリングする機会を該ユーザに提供する工程を包含する、請求項１に記載の方法。
【請求項１４】
前記電子スワップ条件シートを用いて前記ユーザにより示されるように、前記スワップのための電子オークションを提供する工程は、入札を受入れる機会を該ユーザに提供する工程を包含する、請求項１に記載の方法。
【請求項１５】
前記電子スワップ条件シートを用いて、スワップに関するスワップ条件を示す機会をユーザに提供する工程は、複数の可能なスワップ条件を有する特定の電子スワップ条件シートを用いて、スワップに関するスワップ条件を示す機会をユーザに提供する工程を包含し、該可能なスワップ条件は、該ユーザの選好に基づいて該電子スワップ条件シートに含まれ、
該電子スワップ条件シートを用いて該ユーザにより示されるように、スワップのためのオークションを提供する工程は、該特定の電子スワップ条件シートを用いて該ユーザにより示されるように、スワップのためのオークションを提供する工程を包含する、請求項１に記載の方法。
【請求項１６】
複数の可能なスワップ条件を有する特定の電子スワップ条件シートを用いて、スワップに関するスワップ条件を示す機会をユーザに提供する工程は、スワップ条件の群から選択された、少なくとも１つの特定の可能なスワップ条件を有する特定の電子スワップ条件シートを用いて、スワップに関するスワップ条件を示す機会をユーザに提供する工程を包含し、該スワップの群は、金利、エクイティインデックス、通貨、債務償還計画、コールスケジュール、および変動金利指標からなる、請求項１５に記載の方法。
【請求項１７】
前記電子オークションは、ユーザにより電子的に入札が生成され得る第１の所定の期間を有し、該第１の所定の期間には終了期間があり、
該方法は、第２の期間の間に、ユーザにより生成された少なくとも１つの入札に応答して、ユーザにより入札が電子的に生成され得る該第１の所定の期間を延長する工程であって、該第２の期間は、該第１の期間の終了期間内にある、工程をさらに包含する、請求項１に記載の方法。
【請求項１８】
少なくとも１人の入札するユーザに、前記スワップのための前記オークションに参加する機会を提供する工程をさらに包含する、請求項１に記載の方法。
【請求項１９】
前記方法は、前記スワップの現行の入札額を表示する工程をさらに包含する、請求項１８に記載の方法。
【請求項２０】
前記スワップの現行の入札額を表示する工程は、入札するユーザの個人情報を秘密にしておく工程を包含する、請求項１９に記載の方法。
【請求項２１】
前記オークションは最高入札額を有し、
前記少なくとも１人の入札するユーザに、前記スワップのための該オークションに参加する機会を提供する工程は、シングルアクションを用いて、該少なくとも１人の入札するユーザに、前記最高入札額を上回る金額を提示する機会を提供する工程を包含する、請求項１８に記載の方法。
【請求項２２】
前記少なくとも１人の入札するユーザに、前記スワップのための前記オークションに参加する機会を提供する工程は、該少なくとも１人の入札するユーザに、入札を撤回する機会を提供する工程を包含する、請求項１８に記載の方法。
【請求項２３】
前記少なくとも１人の入札するユーザに、前記スワップのための前記オークションに参加する機会を提供する工程は、該少なくとも１人の入札するユーザに、代理人により入札する機会を提供する工程を包含する、請求項１８に記載の方法。
【請求項２４】
入札するユーザとのスワップを確認する機会を前記ユーザに提供する工程をさらに包含する、請求項１に記載の方法。
【請求項２５】
前記入札するユーザとスワップを確認する機会を前記ユーザに提供する工程は、該入札するユーザと電子メールによりスワップを確認する機会を該ユーザに提供する工程を包含する、請求項２４に記載の方法。
【請求項２６】
前記入札するユーザとのスワップを確認する機会を前記ユーザに提供する工程は、コンピュータベースの電話通信を用いてスワップを確認する機会を該ユーザに提供する工程を包含する、請求項２４に記載の方法。
【請求項２７】
前記スワップの条件により、前記ユーザから入札するユーザへ資金を電子的にやりとりするために、電子商取引システムに指示を提供する工程をさらに包含する、請求項１８に記載の方法。
【請求項２８】
示されたスワップ条件をユーザのリスクマネージメントまたはバックオフィスシステムにダウンロードし、該ユーザのリスクマネージメントまたはバックオフィスシステムにより、前記スワップの直接的な処理を提供する工程をさらに包含する、請求項１に記載の方法。
【請求項２９】
電子スワップ条件シートを用いて、スワップに関する条件を示す機会をユーザに提供する工程は、電子スワップ条件シートページをユーザに提供する工程を包含する、請求項１に記載の方法。
【請求項３０】
電子スワップ条件シートを用いて、スワップに関する条件を示す機会をユーザに提供する工程は、スワップの群から選択されたスワップに関する条件を示す機会をユーザに提供する工程を包含し、該スワップの群は、金利スワップ、エクイティスワップ、通貨スワップ、ゼロクーポンスワップ、ベーシスレートスワップ、キャップ、フロア、およびカラーからなる、請求項１に記載の方法。
【請求項３１】
前記スワップのための電子オークションを提供する工程は、前記電子スワップ条件シートを用いて前記ユーザにより示された条件を有する、該スワップのための電子最高入札額獲得オークションを提供する工程を包含する、請求項１に記載の方法。
【請求項３２】
前記スワップのための電子オークションを提供する工程は、前記電子スワップ条件シートを用いて前記ユーザにより示された条件を有する、該スワップのための英国式電子オークションを提供する工程を包含する、請求項１に記載の方法。
【請求項３３】
前記スワップのための電子オークションを提供する工程は、前記電子スワップ条件シートを用いて前記ユーザにより示された条件を有する、該スワップのためのオランダ式電子オークションを提供する工程を包含する、請求項１に記載の方法。
【請求項３４】
前記スワップのための電子オークションを提供する工程は、前記ユーザにより前記電子スワップ条件シートを用いて示された条件を有する、該スワップのための非公開電子オークションを提供する工程を包含する、請求項１に記載の方法。
【請求項３５】
インターネットを用いてスワップに入札する方法であって、
スワップに関するオークションページにアクセスする工程と、
該オークションページを用いて該スワップの入札を行なう工程と、
該オークションが完了すると、該スワップを確認する工程と
を包含する、方法。
【請求項３６】
前記方法は、前記スワップに関する前記オークションページにアクセスすることの勧誘を受信する工程をさらに包含し、
該スワップに関する該オークションにアクセスする工程は、該勧誘の受信に応答して、該オークションページにアクセスする工程を包含する、請求項３５に記載の方法。
【請求項３７】
前記オークションページを用いて前記スワップに入札を行なう工程は、該オークションページを用いて該スワップの委任入札を行なう工程を包含する、請求項３５に記載の方法。
【請求項３８】
前記オークションが完了すると、前記スワップを確認する工程は、該オークションが完了すると、該スワップを電子的に確認する工程を包含する、請求項３５に記載の方法。
【請求項３９】
リスクマネージメントまたはバックオフィスシステムに条件を提供する工程と、
該リスクマネージメントまたは該バックオフィスシステムにより計算された入札額を受信する工程と
をさらに包含する、請求項３５に記載の方法。
【請求項４０】
オンラインスワップ取引システムのユーザが、スワップ取引を電子的に行なうことを可能にする方法であって、該方法は、
スワップ条件シートページを用いて、スワップの条件を示す機会を第１のユーザに提供する工程と、
オークションにおいて、該スワップに入札することを少なくとも１人のゲストユーザに勧める機会を該第１のユーザに提供する工程と、
該オークションに参加することを該少なくとも１人のゲストユーザに電子的に勧める工程と、
該オークションを完了する工程と、
該少なくとも１人のゲストユーザのうちの特定の１人を識別する工程と、
該第１のユーザ、および該少なくとも１人のゲストユーザのうちの該特定の１人に、該スワップを確認する機会を提供する工程と、
示されたスワップ条件を、ユーザのリスクマネージメントまたはバックオフィスシステムに提供し、該ユーザのリスクマネージメントまたはバックオフィスシステムによる該スワップの直接的な処理を提供する工程と
を包含する方法。
【請求項４１】
前記少なくとも１人のゲストユーザに、前記オークションにおいてスワップに入札を行なう機会を提供する工程は、
ゲストユーザのリスクマネージメントまたはバックオフィスシステムに前記条件を提供する工程と、
該ゲストユーザの該リスクマネージメントまたはバックオフィスシステムにより計算された入札額を受信する工程と
を包含する、請求項４０に記載の方法。
【請求項４２】
電子デリバティブ取引システムのユーザが、電子デリバティブオークションにおいてデリバティブに入札することを可能にする方法であって、
デリバティブのための電子オークションを提供する工程と、
複数のユーザの各ユーザに、該オークションにおいてデリバティブに電子的に入札する機会を提供する工程と、
該複数のユーザの各ユーザに、他のユーザの入札額を提供する一方で、該他のユーザの個人情報を秘密にしておく工程と
を包含する、方法。
【請求項４３】
前記オークションにおいて前記デリバティブに電子的に入札する機会を複数のユーザの各ユーザに提供する工程は、インターネットを介して該デリバティブに電子的に入札する機会を複数のユーザの各ユーザに提供する工程を包含する、請求項４２に記載の方法。
【請求項４４】
デリバティブのための電子オークションを提供する工程は、スワップのための電子オークションを提供する工程を包含し、
該オークションにおいて該デリバティブに電子的に入札する機会を複数のユーザの各ユーザに提供する工程は、該スワップに電子的に入札する機会を複数のユーザの各ユーザに提供する工程を包含する、請求項４２に記載の方法。
【請求項４５】
電子取引システムのユーザが、電子オークションにおいて金融商品に入札することを可能にする方法であって、
金融商品のための電子オークションを提供する工程と、
該オークションにおいて該金融商品に電子的に入札する機会を複数のユーザの各ユーザに提供する工程と、
該オークションを完了する工程と、
該複数のユーザのうちの１人のリスクマネージメントまたはバックオフィスシステムに、該オークションの落札したビッドをダウンロードする工程と
を包含する、方法。
【請求項４６】
金融商品のための電子オークションを提供する工程は、スワップのための電子オークションを提供する工程を包含し、
該オークションにおける該金融商品に電子的に入札する機会を複数のユーザの各ユーザに提供する工程は、該スワップに電子的に入札する機会を複数のユーザの各ユーザに提供する工程を包含する、請求項４５に記載の方法。
【請求項４７】
前記オークションにおいて、金融商品に電子的に入札する機会を複数のユーザの各ユーザに提供する工程は、インターネットを介して該金融商品に電子的に入札する機会を、複数のユーザの各ユーザに提供する工程を包含する、請求項４５に記載の方法。
【請求項４８】
電子取引システムのユーザが、電子オークションにおいて、金融商品の買い注文を取得することを可能にする方法であって、該方法は、
特定の電子条件シートを用いて、金融商品の売りに関する条件を示す機会をユーザに提供する工程と、
該特定の電子条件シートを用いて該ユーザにより示された該売りの条件を有する、該金融商品のための電子オークションを提供する工程と
を包含する、方法。
【請求項４９】
前記特定の電子条件シートを用いて前記ユーザにより示される前記売りの条件を有する、前記金融商品のための電子オークションを提供する工程は、インターネットを介して電子オークションを提供する工程を包含する、請求項４８に記載の方法。
【請求項５０】
電子取引システムのユーザが金融商品の買い注文を取得することを可能にする方法であって、
金融商品の売りに関する条件を示す機会をユーザに提供する工程と、
該ユーザが、金融商品のための電子オークションへの参加を勧めることを所望する、少なくとも１人の他のユーザを示す機会を該ユーザに提供する工程と、
該示された、少なくとも１人の他のユーザに該電子オークションに参加することを電子的に勧める工程と、
該ユーザにより示された該売りの条件を有する、該金融商品のための該電子オークションを提供する工程と
を包含する、方法。
【請求項５１】
前記ユーザにより示された前記売りの条件を有する、前記金融商品のための前記電子オークションを提供する工程は、インターネットを介して該電子オークションを提供する工程を包含する、請求項５０に記載の方法。
【請求項５２】
前記少なくとも１人の他のユーザに、該電子オークションに参加することを電子的に勧める工程は、該少なくとも１人の他のユーザに、該オークションに参加することの勧誘を示す電子メールを送信する工程を包含する、請求項５０に記載の方法。
【請求項５３】
前記少なくとも１人の他のユーザに、該電子オークションに参加することを電子的に勧める工程は、該オークションに関するオークションページへのインターネットリンクを含む電子メールを、該少なくとも１人の他のユーザに送信する工程を包含する、請求項５０に記載の方法。
【請求項５４】
前記少なくとも１人の他のユーザに、該電子オークションに参加することを電子的に勧める工程は、該少なくとも１人の他のページを自動的に作成して、該オークションに参加させる工程を包含する、請求項５０に記載の方法。
【請求項５５】
前記ユーザが金融商品のための電子オークションに参加するように勧めることを所望する、少なくとも他の１人のユーザを示す機会を該ユーザに提供する工程は、ユーザの特定のリストを用いて、少なくとも１人の他のユーザを示す機会を該ユーザに提供する工程を包含する、請求項５０に記載の方法。
【請求項５６】
電子取引システムのユーザが金融商品に入札することを可能にする方法であって、
該売りに出すユーザにより売りに出された金融商品のための電子オークションを提供する工程と、
該オークションにおいて、該金融商品に電子的に入札する機会を複数の入札するユーザの各入札するユーザに提供する工程と、
該オークションを完了することにより、該売りに出すユーザと、複数の入札するユーザのうちの１人の入札するユーザとの間で金融商品を取引することについて、拘束力のある協定を生成する工程と
を包含する、方法。
【請求項５７】
電子取引システムのユーザが金融商品に入札することを可能にする方法であって、
売りに出すユーザにより売りに出された金融商品のための電子オークションを提供する工程と、
該オークションにおいて、該金融商品に電子的に入札する機会を複数の入札するユーザの各入札するユーザに提供する工程と、
該売りに出すユーザおよび該入札するユーザに、該金融商品の取引を電子的に確認する機会を提供することにより、該売りに出すユーザと、複数の入札するユーザのうちの１人の入札するユーザとの間で金融商品を取引することについて、拘束力のある協定を生成する工程と
を包含する、方法。
【請求項５８】
電子取引システムのユーザが、電子デリバティブオークションにおいてデリバティブの買い注文を取得することを可能にする方法であって、
売りに出すユーザにデリバティブについての売りに関する条件を示す機会を提供する工程と、
該売りに基づいて、電子デリバティブオークションにおいてデリバティブに入札する機会を入札するユーザに提供する工程と、
該入札および該売りにより、該売りに出すユーザと該入札するユーザとの間で資金を電子的に移動する工程と
を包含する、方法。
【請求項５９】
電子スワップオークションにおいて、ユーザがスワップの買い注文を取得することを可能にする電子取引システムであって、
スワップに関する条件を受信し、スワップのための電子オークションを提供するように構成されたサーバと、
アクセスデバイスであって、（１）電子スワップ条件シートを用いて、該スワップの条件を示す機会をユーザに提供し、（２）該ユーザに該電子オークションへのアクセスを提供するように構成された、アクセスデバイスと
を備える、電子取引システム。
【請求項６０】
前記アクセスデバイスは、複数のユーザから少なくとも１人のゲストユーザを示す機会を該ユーザに提供するように、さらに構成され、
該サーバは、電子勧誘を送信して、該少なくとも１人のゲストユーザを前記スワップのための前記オークションに参加させるように構成され、
該システムは、該スワップのための該オークションに参加する機会を該少なくとも１人のゲストユーザに提供するように構成された、第２のアクセスデバイスをさらに備える、請求項５９に記載のシステム。
【請求項６１】
前記電子勧誘は、前記オークションに参加することの勧誘を示す電子メールメッセージである、請求項６０に記載のシステム。
【請求項６２】
前記電子勧誘は、前記オークションに関するオークションページへのインターネットリンクを含む電子メールである、請求項６０に記載のシステム。
【請求項６３】
前記システムは、ページング／ダイヤリングシステムをさらに備え、
前記サーバは、該ページング／ダイヤリングシステムに指示を提供し、該ゲストユーザのページを自動的に作成し、該オークションに参加させるように、さらに構成される、請求項６０に記載のシステム。
【請求項６４】
前記オークションは一般公開アクションであり、
前記サーバは、前記第２のアクセスデバイスに現行の入札額を提供するように、さらに構成され、
該第２のアクセスデバイスは、前記スワップに関する該現行の入札額を表示するように、さらに構成される、請求項６０に記載のシステム。
【請求項６５】
前記現行の入札額は、少なくとも１人のゲストユーザにより生成され、
前記サーバは、現行の入札額を前記第２のアクセスデバイスに提供する一方で、該１人のゲストユーザの個人情報を秘密にしておくように、さらに構成され、
該第２のアクセスデバイスは、前記スワップに関する現行の入札額を表示するように、さらに構成され、該１人のゲストユーザの該個人情報を他のゲストユーザに秘密にしておく工程を包含する、請求項６４に記載のシステム。
【請求項６６】
前記オークションは最高入札額を有し、
前記第２のアクセスデバイスは、前記少なくとも１人のゲストユーザに、シングルアクションを用いて該最高入札額を上回る金額を提示する機会を提供するように、さらに構成される、請求項６０に記載のシステム。
【請求項６７】
前記第２のアクセスデバイスは、前記少なくとも１人のゲストユーザに、入札額を撤回する機会を提供するように、さらに構成され、
前記サーバは、該入札額を前記オークションから撤回するように、さらに構成される、請求項６０に記載のシステム。
【請求項６８】
前記第２のアクセスデバイスは、前記少なくとも１人のゲストユーザに、代理人により入札する機会を提供するように、さらに構成される、請求項６０に記載のシステム。
【請求項６９】
前記アクセスデバイスは、複数のオークションの中から所望のオークションを示す機会をユーザに提供するように、さらに構成される、請求項５９に記載のシステム。
【請求項７０】
前記アクセスデバイスは、前記ユーザにより前記電子スワップ条件シートを用いて示された前記条件を用いて、前記オークションを承認する機会をユーザに提供するように、さらに構成される、請求項５９に記載のシステム。
【請求項７１】
前記サーバは、入札が登録されると、入札をアクセスデバイスに提供するように、さらに構成され、
該アクセスデバイスは、入札をモニタリングする機会を前記ユーザに提供するように、さらに構成される、請求項５９に記載のシステム。
【請求項７２】
前記アクセスデバイスは、入札を受け付ける機会を前記ユーザに提供するように、さらに構成される、請求項５９に記載のシステム。
【請求項７３】
前記アクセスデバイスは、（１）特定の電子条件シートを前記ユーザに提供し、該特定の電子条件シート、複数の可能なスワップ条件、および前記可能なスワップ条件は、前記ユーザの選好に基づいた前記電子スワップ条件シートに含まれ、（２）該特定の電子スワップ条件シートを用いて、スワップに関するスワップ条件を示す機会を該ユーザに提供するように、さらに構成され、
サーバは、該特定の電子スワップ条件シートを用いてユーザにより示されるように、スワップのための前記オークションを提供するように、さらに構成される、請求項５９に記載のシステム。
【請求項７４】
前記特定の可能なスワップ条件は、スワップ条件の群から選択され、該スワップ条件の群は、金利、エクイティインデックス、通貨、債務償還計画、コールスケジュール、およびフローティングレートインデックスを含む、請求項７３に記載の方法。
【請求項７５】
前記電子アクションは、ユーザにより入札が電子的に生成され得る第１の所定の期間を有し、該第１の所定の期間には終了期間があり、
前記サーバは、第２の所定の期間の間に、ユーザにより生成された少なくとも１つの入札に応答して、ユーザにより入札が電子的に生成され得る該第１の所定の期間を延長し、該第２の所定期間は、該第１の所定の期間の終了期間内にあるように、さらに構成される、請求項５９に記載の方法。
【請求項７６】
少なくとも１つの第２のアクセスデバイスであって、複数の入札するユーザのうちの１人の入札するユーザに、前記スワップのための前記オークションに参加する機会を提供するように構成される、アクセスデバイスをさらに備える、請求項５９に記載のシステム。
【請求項７７】
サーバは、前記第２のアクセスデバイスに現行の入札額を提供するように、さらに構成され、
該第２のアクセスデバイスは、該現行の入札額を受信するように、さらに構成される、請求項７６に記載のシステム。
【請求項７８】
サーバは、前記第２のアクセスデバイスに現行の入札額を提供する一方で、各入札するユーザの個人情報を各入札するユーザに秘密にしておくように、さらに構成され、
各第２のアクセスデバイスは、前記スワップに関する現行の入札額を表示する一方で、他の入札するユーザの個人情報を各入札するユーザに秘密にしておくように、さらに構成される、請求項７６に記載のシステム。
【請求項７９】
オークションは最高入札額を有し、
各第２のアクセスデバイスは、シングルアクションを用いて、該最高入札額を上回る金額を提示する機会を各入札するユーザに提供するように、さらに構成される、請求項７８に記載のシステム。
【請求項８０】
各第２のアクセスデバイスは、入札するユーザに入札額を撤回する機会を提供するように、さらに構成される、請求項７８に記載のシステム。
【請求項８１】
各第２のアクセスデバイスは、代理人によって入札する機会を入札するユーザに提供するように、さらに構成される、請求項７８に記載のシステム。
【請求項８２】
前記アクセスデバイスは、入札するユーザと、スワップを確認する機会をユーザに提供するように、さらに構成される、請求項５９に記載のシステム。
【請求項８３】
前記アクセスデバイスは、前記入札するユーザと電子メールによりスワップを確認する機会をユーザに提供するように、さらに構成される、請求項５９に記載のシステム。
【請求項８４】
前記アクセスデバイスは、コンピュータベースの電話通信を用いて、スワップを確認する機会を前記ユーザに提供するように、さらに構成される、請求項５９に記載のシステム。
【請求項８５】
前記サーバは、前記スワップの前記条件により、前記ユーザから入札するユーザに資金を電子的にやりとりすることを、電子商取引システムに指示を提供するように、さらに構成される、請求項５９に記載のシステム。
【請求項８６】
前記アクセスデバイスは、前記示されたスワップ条件をユーザのリスクマネージメントまたはバックオフィスシステムにダウンロードし、該ユーザのリスクマネージメントまたはバックオフィスシステムにより、前記スワップの直接的な処理を提供するように、さらに構成される、請求項５９に記載の方法。
【請求項８７】
前記アクセスデバイスは、インターネットにより使用可能であり、ユーザに電子スワップ条件シートページを提供するように、さらに構成される、請求項５９に記載のシステム。
【請求項８８】
スワップに関する前記条件は、スワップの群から選択され、該スワップの群は、金利スワップ、エクイティスワップ、通貨スワップ、ゼロクーポンスワップ、ベーシスレートスワップ、キャップ、フロア、およびカラーを含む、請求項５９に記載のシステム。
【請求項８９】
前記サーバは、前記電子スワップ条件シートを用いて、前記ユーザにより示された条件を有する前記スワップのための電子最高入札額獲得オークションを提供するように、さらに構成される、請求項５９に記載のシステム。
【請求項９０】
前記サーバは、前記電子スワップ条件シートを用いて、前記ユーザにより示された該条件を有する、前記スワップのための英国式電子オークションを提供するように、さらに構成される、請求項５９に記載のシステム。
【請求項９１】
前記サーバは、前記電子スワップシートを用いて、前記ユーザにより示された前記条件を有する、前記スワップのためのオランダ式電子オークションを提供するように、さらに構成される、請求項５９に記載のシステム。
【請求項９２】
サーバは、前記電子スワップ条件シートを用いて、前記ユーザにより示された前記条件を有する、前記スワップのための電子非公開オークションを提供するように、さらに構成される、請求項５９に記載のシステム。
【請求項９３】
インターネットを用いて、ユーザがスワップに入札することを可能にする電子取引システムであって、
サーバと、
インターネットにより使用可能なアクセスデバイスであって、
該サーバからスワップのためのオークションページをダウンロードし、
該オークションページを用いて該スワップの入札を行ない、
該サーバに該入札を提供する機会を該ユーザに提供し、
該オークションが完了すると、該スワップを電子的に確認する機会を該ユーザに提供するように構成される、インターネットにより使用可能なアクセスデバイスと
を備える、電子取引システム。
【請求項９４】
前記アクセスデバイスは、前記スワップに関する前記オークションページにアクセスすることの勧誘を受信し、
前記ユーザに該勧誘を提供するように、さらに構成される、請求項９３に記載のシステム。
【請求項９５】
前記アクセスデバイスは、前記オークションページを用いて、スワップに委任入札を行なう機会を前記ユーザに提供するように、さらに構成される、請求項９３に記載のシステム。
【請求項９６】
前記アクセスデバイスは、前記オークションが完了すると、前記スワップを電子的に確認するように、さらに構成される、請求項９３に記載のシステム。
【請求項９７】
前記アクセスデバイスは、前記条件をリスクマネージメントまたはバックオフィスシステムに提供し、
該リスクマネージメントまたはバックオフィスシステムにより計算された入札額を受信するように、さらに構成される、請求項９３に記載のシステム。
【請求項９８】
ユーザが電子的にスワップ取引を行なうことを可能にする電子取引システムであって、
第１のアクセスデバイスであって、
スワップ条件シートページを用いて、第１のユーザにスワップの条件を示す機会を提供し、
少なくとも１人のゲストユーザに、オークションにおいて該スワップに入札するよう勧める機会を該第１のユーザに提供し、
該少なくとも１人のゲストユーザに、該オークションに参加するように電子的に勧める、第１のアクセスデバイスと、
第２のアクセスデバイスであって、該少なくとも１人のゲストユーザに、該オークションにおいて該スワップに入札を行なう機会を提供するように構成された、第２のアクセスデバイスと、
サーバであって、該第１のユーザ、および該少なくとも１人のゲストユーザの特定の１人に、該スワップを確認する機会を提供するように構成される、サーバとを備え、
該第１のアクセスデバイスおよび該第２のアクセスデバイスは、該示されたスワップ条件を前記リスクマネージメントまたはバックオフィスシステムに提供し、該リスクマネージメントまたはバックオフィスシステムにより該スワップの直接的な処理を提供するように、さらに構成される、電子取引システム。
【請求項９９】
前記第２のアクセスデバイスは、（１）ゲストユーザのリスクマネージメントまたはバックオフィスシステムに前記条件を提供し、（２）該ゲストユーザの該リスクマネージメントまたはバックオフィスシステムにより計算された入札額を受信し、（３）前記サーバに該入札額を提供するように、さらに構成される、請求項９８に記載のシステム。
【請求項１００】
ユーザが電子デリバティブオークションにおいてデリバティブに入札することを可能にする電子取引システムであって、
デリバティブのための電子オークションを提供するように構成されるサーバと、
複数のアクセスデバイスであって、（１）該オークションにおいて、該デリバティブに電子的に入札する機会を複数のユーザの各ユーザに提供し、（２）複数のユーザの各ユーザに、他のユーザの入札額を提供する一方で、該他のユーザの個人情報を秘密にしておくように構成される、複数のアクセスデバイスと
を備える、電子取引システム。
【請求項１０１】
各アクセスデバイスは、インターネットにより使用可能であり、インターネットを介して前記デリバティブに電子的に入札する機会を複数のユーザの各ユーザに提供するように構成される、請求項１００に記載のシステム。
【請求項１０２】
前記デリバティブはスワップである、請求項１００に記載のシステム。
【請求項１０３】
ユーザが電子オークションにおいて金融商品に入札することを可能にする電子取引システムであって、
金融商品のための電子オークションを提供するように構成されるサーバと、
複数のアクセスデバイスであって、各アクセスデバイスは、（１）該オークションにおいて、該金融商品に電子的に入札する機会を複数のユーザの各ユーザに提供し、（２）該オークションを自動的に完了し、（３）該オークションの落札したものをリスクマネージメントまたはバックオフィスシステムにダウンロードするように構成される、複数のアクセスデバイスと
を備える、電子取引システム。
【請求項１０４】
前記金融商品はスワップであり、各アクセスデバイスは、該スワップに電子的に入札する機会を複数のユーザの各ユーザに提供するように、さらに構成される、請求項１０３に記載のシステム。
【請求項１０５】
各アクセスデバイスは、インターネットを介して、該金融商品に電子的に入札するように、さらに構成される、請求項１０３に記載のシステム。
【請求項１０６】
ユーザが電子オークションにおいて金融商品の買い注文を取得することを可能にする電子取引システムであって、
金融商品のための電子オークション提供するように構成されるサーバと、
特定の電子条件シートを用いて、前記条件を示す機会をユーザに提供するように構成されたアクセスデバイスと
を備える、電子取引システム。
【請求項１０７】
前記サーバは、インターネットおよびアプリケーションサーバであり、
前記アクセスデバイスは、インターネットにより使用可能である、請求項１０６に記載のシステム。
【請求項１０８】
ユーザが金融商品の買い注文を取得することを可能にする電子取引システムであって、
サーバと、
アクセスデバイスであって、
金融商品の売りに関する条件を示す機会をユーザに提供し、
該ユーザが該金融商品のための電子オークションに参加するよう勧めることを所望する、少なくとも１人の他のユーザを示す機会を該ユーザに提供し、
電子勧誘を提供して、該示された少なくとも１人の他のユーザを該電子オークションに参加させる、アクセスデバイスと
を備え、
該サーバは、該金融商品のための該電子オークションを、該ユーザにより示された該売りの条件を有する該アクセスデバイスに提供されるように、さらに構成される、電子取引システム。
【請求項１０９】
前記サーバは、インターネットおよびアプリケーションサーバであり、
前記アクセスデバイスは、インターネットにより使用可能である、請求項１０８に記載のシステム。
【請求項１１０】
前記電子勧誘は、前記オークションに参加することの勧誘を示す電子メールメッセージである、請求項１０８に記載のシステム。
【請求項１１１】
前記電子勧誘は、前記オークションに関するオークションページへのインターネットリンクを含む電子メールメッセージである、請求項１０８に記載のシステム。
【請求項１１２】
前記システムは、ページング／ダイヤリングシステムをさらに備え、
前記サーバは、該ページング／ダイヤリングシステムに指示して、該少なくとも１人の他のユーザのページを自動的に作成し、前記オークションに参加させるように、さらに構成される、請求項１０８に記載のシステム。
【請求項１１３】
前記アクセスデバイスは、ユーザの特定のリストを用いて、少なくとも１人の他のユーザを示す機会を前記ユーザに提供するように、さらに構成される、請求項１０８に記載のシステム。
【請求項１１４】
ユーザが金融商品に入札することを可能にする電子取引システムであって、
売りに出すユーザに、取引する金融商品を示す機会を提供するよう構成される第１のアクセスデバイスと、
該金融商品のための電子オークションを提供するように構成されるサーバと、
複数の入札するユーザの各入札するユーザに、該オークションにおいて、該金融商品に電子的に入札する機会を提供するように構成される、複数の第２のアクセスデバイスとを備え、
該第１のアクセスデバイスおよび該第２のアクセスデバイスは、該売りに出すユーザと、該複数の入札するユーザのうちの１人の入札するユーザに、拘束力のある協定を生成し、該オークションを完了することにより該金融商品を取引する機会を提供する、電子取引システム。
【請求項１１５】
ユーザが金融商品に入札することを可能にする電子取引システムであって、
売りに出すユーザに取引する金融商品を示す機会を提供するように構成される、第１のアクセスデバイスと、
金融商品のための電子オークションを提供するように構成されたサーバと、
複数の入札するユーザの各入札するユーザに、該オークションにおいて該金融商品に電子的に入札する機会を提供するように構成される複数の第２のアクセスデバイスとを備え、
該第１のアクセスデバイスと該第２のアクセスデバイスは、売りに出すユーザと入札するユーザに、該金融商品の取引を電子的に確認する機会を提供することにより、該売りに出すユーザと、該複数の入札するユーザのうちの１人の入札するユーザに、該金融商品を取引するための拘束力のある協定を生成する機会を提供する、電子取引システム。
【請求項１１６】
ユーザが電子オークションにおいて金融商品の買い注文を取得することを可能にする電子取引システムであって、
金融商品の売りに関する条件を示す機会を売りに出すユーザに提供するように構成される第１のアクセスデバイスと、
売りに基づいて電子オークションにおいて金融商品に入札する機会を入札するユーザに提供するように構成される第２のアクセスデバイスと、
買いと売りにより、該売りに出すユーザと該入札するユーザとの間で資金を電子的に移動するように構成された電子商取引システムと
を備える、電子取引システム。
【請求項１１７】
ユーザが電子スワップオークションにおいてスワップの買い注文を取得することを可能にする電子スワップ取引システムであって、
電子スワップ条件シートを用いて、スワップに関する条件を示す機会をユーザに提供する手段と、
該電子スワップ条件シートを用いて該ユーザにより示された該条件を有する、該スワップのための電子オークションを提供する手段と
を包含する、電子スワップ取引システム。
【請求項１１８】
ユーザがインターネットを用いてスワップに入札することを可能にするシステムであって、
スワップに関するオークションページにアクセスする手段と、
該オークションページを用いて、該スワップに入札を行なう手段と、
該オークションが完了すると、該スワップを確認する手段と
を包含する、システム。
【請求項１１９】
ユーザが電子的にスワップ取引を行なうことを可能にするオンラインスワップ取引システムであって、
スワップ条件シートページを用いて、第１のユーザにスワップの条件を示す機会を提供する手段と、
少なくとも１人のゲストユーザに、オークションにおける該スワップに入札することを勧める機会を該第１のユーザに提供する手段と、
該少なくとも１人のゲストユーザに、該オークションに参加することを電子的に勧める手段と、
該少なくとも１人のゲストユーザに、該オークションにおいてスワップの入札を行なう機会を提供する手段と、
該オークションを完了する手段と、
該少なくとも１人のゲストユーザのうちの特定の１人を識別する手段と、
該第１のユーザ、および該少なくとも１人のゲストユーザのうちの該特定の１人に、該スワップを確認する機会を提供する手段と、
該示されたスワップ条件を該ユーザのリスクマネージメントまたはバックオフィスシステムに提供し、該ユーザのリスクマネージメントまたはバックオフィスシステムにより、該スワップの直接的な処理を提供する手段と
を包含する、オンラインスワップ取引システム。
【請求項１２０】
電子デリバティブオークションにおいてユーザがデリバティブに入札することを可能にする電子デリバティブ取引システムであって、
デリバティブのための電子オークションを提供する手段と、
複数のユーザの各ユーザに、該オークションにおいて該デリバティブに電子的に入札する機会を提供する手段と、
該複数のユーザの各ユーザに、他のユーザの入札額を提供する一方で、該他のユーザの個人情報を秘密にしておく手段と
を包含する、電子デリバティブ取引システム。
【請求項１２１】
電子オークションにおいてユーザが金融商品に入札することを可能にする電子取引システムであって、
金融商品のための電子オークションを提供する手段と、
複数のユーザの各ユーザに、該オークションにおいて該金融商品に電子的に入札する機会を提供する手段と、
該オークションを完了する手段と、
該オークションの落札したものを、該複数のユーザのうちの１人のユーザのリスクマネージメントまたはバックオフィスシステムにダウンロードする手段と
を包含する、電子取引システム。
【請求項１２２】
電子オークションにおいてユーザが金融商品の買い注文を取得することを可能にする電子取引システムであって、
特定の電子条件シートを用いて、金融商品の売りに関する条件を示す機会をユーザに提供する手段と、
該特定の電子条件シートを用いて、該ユーザにより示される該売りの条件を有する、該金融商品のための電子オークションを提供する手段と
を包含する、電子取引システム。
【請求項１２３】
電子オークションにおいてユーザが金融商品の買い注文を取得することを可能にする電子取引システムであって、
金融商品の売りに関する条件を示す機会をユーザに提供する手段と、
該ユーザが、金融商品のための電子オークションへの参加を勧めることを所望する、少なくとも１人の他のユーザを示す機会を該ユーザに提供する手段と、
該示された、少なくとも１人の他のユーザを電子的に勧誘し、該電子オークションに参加させる手段と、該ユーザにより示される該売りの条件を有する、該金融商品のための該電子オークションを提供する手段と
を包含する、電子取引システム。
【請求項１２４】
ユーザが金融商品に入札することを可能にする電子取引システムであって、売りに出すユーザにより売りに出された金融商品のための電子オークションを提供する手段と、
複数の入札するユーザの各入札するユーザに、オークションにおいて該金融商品に電子的に入札する機会を提供する手段と、
該オークションを完了することにより、該売りに出すユーザと、該複数の入札するユーザのうちの１人の入札するユーザとの間で該金融商品を取引することについて拘束力のある協定を生成する手段と
を包含する、電子取引システム。
【請求項１２５】
ユーザが金融商品に入札することを可能にする電子取引システムであって、
売りに出すユーザにより売りに出される金融商品のための電子オークションを提供する手段と、
複数の入札するユーザの各入札するユーザに、該オークションにおいて、該金融商品に電子的に入札する機会を提供する手段と、
該売るユーザと買うユーザに、該金融商品の該取引を電子的に確認する機会を提供することにより、該売りに出すユーザと、該複数の入札するユーザのうちの１人の入札するユーザとの間で該金融商品を取引することについて、拘束力のある協定を生成する手段と
を包含する、電子取引システム。
【請求項１２６】
電子デリバティブオークションにおいて、ユーザがデリバティブの買い注文を取得することを可能にする電子取引システムであって、
売りに出すユーザに、デリバティブの売りに関する条件を示す機会を提供する手段と、
該売りに基づいて、電子デリバティブオークションにおいてデリバティブに入札する機会を入札するユーザに提供する手段と、
買いおよび売りにより、売りに出すユーザと入札するユーザとの間で資金を電子的に移動する手段と
を包含する、電子取引システム。
【発明の詳細な説明】
【０００１】
本出願は、２０００年５月１８日に出願された米国仮出願第６０／２０５．１３８号の利益を主張する。
【０００２】
（発明の背景）
本発明は、電子取引のシステムおよびその方法に関する。さらに詳細には、発明は、株券、債券、スワップ、利率契約（ｉｎｔｅｒｅｓｔ  ｒａｔｅ  ａｇｒｅｅｍｅｎｔ）および他の金融証書等の金融証書（ｆｉｎａｎｃｉａｌ  ｉｎｓｔｒｕｍｅｎｔｓ）の取引を提供する電子取引システムおよびその方法に関する。
【０００３】
スワップは、一方の当事者がさらなるキャッシュフローを他方の当事者と交換する２当事者間で実行される金融契約である。例えば、一方の当事者が、変動利率に基づく支払いと、固定利率に基づく支払いとを交換し得る。スワップは、スワップの利率およびプロファイルの通貨リスク開示（ｃｕｒｒｅｎｃｙ  ｒｉｓｋ  ｅｘｐｏｓｕｒｅ）を管理するように、当事者によって用いられることが多い。当事者は、例えば、公称量（ｎｏｔｉｏｎａｌ  ａｍｏｕｎｔ）と一般に呼ばれる元金量（ｐｒｉｎｃｉｐａｌ  ａｍｏｕｎｔ）、取引相手の当事者が受取りたい利率（例えば、利用可能な利率）、スワップの持続期間、他のスワップ期間を特定することにより、スワップを取引相手の当事者に提示し得る。次いで、取引相手の当事者が、第１の当事者が公称量に基づいて支払う予定である利率（例えば、固定利率）を提示し得、これらを当事者間で交渉し得る。
【０００４】
株式会社または金融会社等のスワップユーザは、通常、承認されたスワップディーラーの選択グループに電話し、スワップに値を付けることを要求することにより、最上のスワップ利率を入手する。商業銀行および投資銀行等のスワップディーラーは、スワップ期間に基づいて、自分らが受諾したい利率を提示することによって値を付ける。スワップディーラーは、スワップユーザとスワップディーラーとの間で確立されたクレジットライン（ｃｒｅｄｉｔ  ｌｉｎｅ）の基礎に基づいて、スワップユーザによって一般的に承認されている。スワップユーザは、通常、２〜６人のスワップディーラーに電話し、スワップに値を付け、スワップの期間を説明することにより、電話を介して、２〜６人のディーラとの同時取引を交渉しようとする。２人の当事者がスワップに同意した後、その当事者は、確認書を交換し得る。確認書によってスワップの期間を確認し得る。通常、確認書が両方の当事者によってサインされると、スワップが拘束力のある同意（すなわち、支払いを行うための拘束力のある約束の交換）となる。
【０００５】
従来のスワップの値付けプロセスは、多数の点について不完全である。ユーザが契約し得るディーラの数は、時間および他の制限によって限定され得る。スワップユーザとディーラとの間の通信プロセスは、時間を消費し、取引期間またはクレジットラインに誤りを引き起こす傾向がある。当事者がスワップに同意すると、ポートフォリオの管理システムとの取引等の取引期間の処理は、その交渉から別々に実行されなければならない。さらに、従来のスワップ値付けプロセスは、スワップユーザが、最上の値を付けることによってスワップを入手するように互いに対して公に競争する実際のオークション（ｔｒｕｅ  ａｕｃｔｉｏｎ）を行うことを可能にする。ディーラが、「公開」値付け環境を必要とせずに、電話を介して互いとの競争に入り得る一方で、相手に彼らの値を上げさせようとする情報をディーラに提供する価格送達システムはない。この「閉鎖」値付け環境では、結果として、ディーラが、通常、自分が過剰に支払うことによってスワップを勝ち取る「勝者の呪い（ｗｉｎｎｅｒ  ｃｕｒｓｅ）」を心配するために、ディーラが自分の最上の価格を与えないことが多くなる。
【０００６】
したがって、公開オークションを用いてスワップの電子的なオークションをする機会を提供する電子商取引システムをシステムユーザに提供することが望ましい。公開オークションを用いてインターネットまたは他の電子的ネットワークにわたってスワップの電子的なオークションをする機会をシステムユーザに提供するオンライン取引システムを提供することが望ましい。
【０００７】
スワップの公開値付けを提供する電子取引システムを提供することが望ましい。
【０００８】
インターネットを介してスワップの公開値付けを提供するオンライン取引システムを提供することも望ましい。
【０００９】
スワップを値付けするプロキシに提供する電子取引システムを提供することも望ましい。
【００１０】
インターネットを介してスワップに値付けするプロキシを提供するオンライン取引システムも望ましい。
【００１１】
システムユーザによる使用のために特化された電子期間シートを提供する電子取引システムを提供することも望ましい。
【００１２】
システムユーザによる使用のために特化された電子期間シートページを提供するオンライン取引システムを提供することも望ましい。
【００１３】
（発明の要旨）
したがって、公開オークションを用いてスワップの電子的なオークションをすることが本発明のいくつかの実施形態の目的である。
【００１４】
公開オークションを用いてインターネットを介してスワップの電子的なオークションをする機会を提供することが本発明のいくつかの実施形態の目的である。
【００１５】
スワップの公開値付けを提供することが本発明のいくつかの実施形態の目的である。
【００１６】
インターネットを介してスワップの公開値付けを提供することが本発明のいくつかの実施形態の目的である。
【００１７】
スワップに値付けをするプロキシを提供することが本発明のいくつかの実施形態の目的である。
【００１８】
インターネットを介してスワップに値付けをするプロキシを提供することが本発明のいくつかの実施形態の目的である。
【００１９】
ユーザによる使用のために特化された電子期間シートを提供する電子取引システムを提供することが本発明のいくつかの実施形態の目的である。
【００２０】
ユーザによる使用のために特化された電子期間シートページを提供するオンライン取引システムを提供することが本発明のいくつかの実施形態の目的である。
【００２１】
本発明の様々な実施形態および特徴は、例えば、２０００年５月１８日に出願された米国仮特許出願第６０／２０５，１３８号に記載されており、この米国仮特許出願第６０／２０５，１３８号は、全体にわたって本明細書にて参考として援用される。
【００２２】
本発明の原理により、電子取引のシステムおよびその方法が提供される。本発明のいくつかの実施形態は、時には「ユーザ」または「複数のユーザ」と本明細書中にて呼ばれるシステムユーザ（例えば、スワップユーザおよびスワップディーラー）に、任意の適切なアプローチを用いてスワップの申し出を提示する機会を提供し得る。いくつかの実施形態は、例えば、ユーザが申し出を提示しようとする製品のタイプを示すユーザに提供し得る。ユーザは、例えば、国内または外国スワップ、フロア、シーリング、カラー、または他の製品の申し出を提示しようとする希望を示し得る。いくつかの実施形態はまた、スワップにおけるユーザの位置を示す機会をユーザに提供し得る。ユーザは、例えば、ユーザが、固定利率支払いを支払うか、または受け取ること、変動利率支払いを支払うか、または受け取ること、エクィティインデックスベースの（ｅｑｕｉｔｙ−ｉｎｄｅｘ−ｂａｓｅｄ）支払いを支払うか、または受け取ることを望むこと、または、任意の他の位置を示し得る。ユーザはまた、ユーザが受け取るか、または支払うことを望む利率、あるいは、支払いの基礎となるエクイティインデックスを示し得る。通貨スワップでは、ユーザはまた、ユーザの通貨およびユーザが取引したい通貨を示し得る。
【００２３】
本発明のいくつかの実施形態は、任意の適切なスタイルのオークションを用いてスワップのオークションをし得る。いくつかの実施形態は、例えば、競り手（ｂｉｄｄｅｒ）は、最上の値付けが得られるまでスワップに値付けする標準的な公開英語スタイルオークションを提供し得る。所望ならば、いくつかの実施形態は、他の競り手のアイデンティティを秘密にしながら、競り手が他の値付けを見ることを可能にし得る。このアプローチは、システムユーザのプライバシーを提供しながら、積極的で、競争的な値付け行為を促進する利点を有し得る。数人のユーザは、値付け行為がモニタリングされることを望まない可能性を見出し得る。いくつかの実施形態は、閉鎖されたオークションおよび限界注文を用いてスワップを取引することを提供し得る。スワップの申し出が限界注文としてユーザにより提示される場合、記述された利率（ｓｔａｔｅｄ  ｉｎｔｅｒｅｓｔ  ｒａｔｅ）、「限界」利率に値を付ける第１のユーザは、申し込まれたスワップの勝者である。いくつかの実施形態は、例えば、ダッチスタイル（Ｄｕｔｃｈ−ｓｔｙｌｅ）オークションを用いてスワップのオークションをし得る。ユーザは、例えば、特定の公称量でスワップを申し出ることができる。他のユーザが値を付け、これにより公称量の一部のみを特定し得る。値付けは、公称量全体が決まる（ｇｏｎｅ）まで受けられ得る。オークションの任意の他の適切なスタイルが用いられ得る。
【００２４】
スワップの電子的な企業対企業（ｂｕｓｉｎｅｓｓ−ｔｏ−ｂｕｓｉｎｅｓｓ）取引は、多数の利点をユーザに提供し得る。株式会社または金融会社等のスワップのユーザは、競り手が他の値付けにアクセスを有するので、申し込まれたスワップに対して競合的で、積極的な値付けを受信し得る。スワップユーザはまた、申し込まれたスワップに対して値付けするより多いスワップディーラーを、以前に招待可能であった人数よりも多く招待することができる。実際に、取引詳細の誤りがない通信は、スワップ期間の詳細全てが電子的に全てのディーラに送信されるために提供され得る。さらに、スワップ期間は、ユーザのリスク管理またはバックオフィスシステム（ｂａｃｋ  ｏｆｆｉｃｅ  ｓｙｓｔｅｍ）にダウンロードされ得、これにより、従来のボイス取引（ｖｏｉｃｅ  ｔｒａｄｅ）をデータに変換して保存する、時間を消費した工程を無くすことができる。
【００２５】
商業銀行および投資銀行等のスワップディーラーはまた、このような電子取引システムからの多数の利益を実現し得る。いくつかの実施形態において、電子システムに参加するスワップディーラーは、それぞれのスワップの潜在的な競り手として自動的にシステムユーザに売り込まれている（ｍａｒｋｅｔｅｄ）。これは、ディーラのマーケティングのコストを低減させ得る。例えば、ディーラは、全てではなく、数人のシステムユーザによってのみ視聴され得るシステムのリサーチおよび取引アイデア（ｔｒａｄｅ  ｉｄｅａ）を、このような情報をディーラが提示することによって予め決定されるように、申し出得る。さらに、システムは、スワップディーラーに増加した取引フローを提供し得る。これは、ヘッジされたスワップブック（ｈｅｄｇｅｄ  ｓｗａｐ  ｂｏｏｋ）を維持することを支援する傾向であり得る。すなわち、ディーラは、現在、他のディーラと共に位置をオフセットすることによって位置スワップポートフォリオのリスクを最もオフセットし得る。したがって、多くのスワップ取引は、内部ディーラー（ｉｎｔｅｒ−ｄｅａｌｅｒ）である。いくつかの実施形態は、さらなるスワップユーザと処理することにより、さらなるスワップを処理する機会をディーラに提供し得、これにより、ディーラの取引フローおよびこれらのポートフォリオのリスクをオフセットする能力を増加させる。いくつかの実施形態はまた、スワップが取引される場所および取引量に関する、正確で、偏りの無い情報を有するディーラを参与させる工程を提供し得る。この価格情報は、スワップブックの価値に対してディーラをスワップするために非常に価値があり得る。スワップディーラーはまた、電子的なスワップの申し出の精度の増加の利得およびスワップのスト利率スルー処理（ｓｔｒａｉｇｈｔ−ｔｈｒｏｕｇｈ  ｐｒｏｃｅｓｓｉｎｇ）の利点を、ディーラのリスク管理またはバックオフィスシステムによって実現し得る。
【００２６】
いくつかの実施形態は、任意の適切なアプローチを用いてスワップの申し出を提示する機会をユーザに提示し得る。いくつかの実施形態は、例えば、ユーザが申し出を提示したい（単数または複数の）製品のタイプを選択する機会をユーザに提供し得る。ユーザが（単数または複数の）製品のタイプを示したことに応答して、いくつかの実施形態は、ユーザがスワップ期間を入力し得る電子期間シートを提供され得る。所望ならば、いくつかの実施形態は、示された製品、ユーザ、またはこれらの組み合せに特化される電子期間シートを提供し得る。数人のユーザは、例えば、特定の利率（例えば、ＬＩＢＯＲ）またはエクイティインデックス（例えば、Ｄｏｗ  Ｊｏｎｅｓ  Ｉｎｄｕｓｔｒｉａｌ  Ａｖｅｒａｇｅ（ＤＪＩＡ））を処理し得るだけである。彼らの期間シートは、これらの利率またはユーザが関心のあるインデックスのみを選択する機会をユーザに提供するように特化され得る。期間シートの特化は、任意の適切なアプローチを用いて達成され得る。システムプロバイダは、例えば、各システムユーザにインタビューし得、各ユーザの好みを決定し得、次いで、電子期間シートを生成し得る。あるいは、いくつかの実施形態は、自分自身の期間シートを特化する機会をユーザに提供し得る。
【００２７】
いくつかの実施形態は、取引相手の当事者ユーザ１人またはユーザが提示されたスワップに値を付けるために招待することを望む取引相手の当事者ユーザを示す機会をユーザに提供し得る。いくつかの実施形態は、「招待者」として本明細書中で時々呼ばれる、上記示されたユーザを招待し得、任意の適切なアプローチを用いてスワップに値を付け得る。いくつかの実施形態は、例えば、電子通知を介してメッセージを提供することにより、ディーラに自動的に電話するか、またはディーラを自動的にページングすることにより、または、任意の他の適切なアプローチを用いることにより、ユーザを招待し得る。ユーザは、例えば、システムメッセージのリンクまたは電子メールを選択することにより、またはシステムにログインし、取引中のオフセット限界からの申し出を選択することにより、スワップのオークションに参加し得る。
【００２８】
ユーザは、提示されたスワップに値付けを行うことによってオークションに参加し得る。いくつかの実施形態は、例えば、値付けに入り、現在の最上の値付けを叩き、値付けを代理し、ユーザの最後の値付けを撤回する機会をユーザに提供し得る。いくつかの実施形態は、ユーザのリスク管理またはバックオフィスシステムにスワップ期間および現在の値付けを提供し得る。バックオフィスシステムのリスク管理は、適切なモデリングおよび予測技術を用いて値付けを計算し得る。リスク管理またはバックオフィスシステムは、取引システムに値付けを電子的に提供し得る。これは、例えば、自動的にまたは値付けがされる毎に、ユーザの最大の値付けに到達するまで生じ得る。別のアプローチにおいて、システムは、値付けを計算し得、これらをユーザに提示し得る。ユーザは、所望であれば、手動で値付けを行い得る。いくつかの実施形態は、例えば、提示するユーザ（すなわち、スワップを提示したユーザ）が値付けを受諾した場合、所定の期間の間の特定の時間に、値付けがない場合、または任意の他の適切なイベントに応答して、オークションを完了させ得る。最上の値付けおよび提示された申し出が拘束力のある契約を構成するかどうかは、システム下のビジネスルールに依存する。実際、特定の実施形態のビジネスルールは、スワップに入る前に全てのユーザによってサインされる個々の契約において提供され得る。１アプローチにおいて、オークションの完了は、最上の競り手および提示するユーザとの間の拘束力のある契約であり得る。別の適切なアプローチにおいて、勝利した競り手および提示するユーザは、スワップの期間を確認し、スワップを完了する機会が提供され得る。このアプローチにおいて、期間の確認は、拘束力のある契約を完了させ得る。確認は、印刷された確認書にサインすることにより、電子確認書にサインすることにより、または、いくつかの他の電子的なアプローチを用いて受諾を示す当事者両方により、生じ得る。スワップを完了させる任意の他の適切なアプローチが用いられ得る。
【００２９】
システムの適用可能なビジネスルールに応じてオークションが完了し、スワップが完了すると、いくつかの実施形態は、スワップ期間の電子的な送信を当事者のリスク管理またはバックオフィスシステムに提供し得る。この情報は、当事者に有用な情報（例えば、さらなるスワップを作成するかどうかを決定することに関して有用な情報）を提供するように、当事者のリスク管理またはバックオフィスシステムによって用いられ得る。いくつかの実施形態または実施形態がスワップ期間をダウンロードするシステムは、スワップ期間に応じるファンドの電子的な交換を提供し得る。
【００３０】
本発明のいくつかの特徴は、例えば、株券、債券、ミューチャルファンドの株式、オプション等の他の金融インストルメンツ、または他のエクイティ、債務インストルメンツ、デリバティブ、または任意の他の適切な金融アセットまたは負債を取引することに適用され得る。いくつかの実施形態は、例えば、任意の適切な金融インストルメンツの任意の取引の期間シートを特化する機会を提供し得る。いくつかの実施形態は、マーケット注文、リミット注文、または任意の他のタイプの値付けを行うことを考慮し得る。いくつかの実施形態はまた、ユーザが取引の招待者を特定し、招待者に彼らが招待されたことを通知することを可能にし得、招待者が取引に参加することを可能にし得る。招待者は、任意の適切なアプローチを用いて参加し得る。彼らは、例えば、値付けを株券、債券、ミューチャルファンド、または他の金融インストルメンツに行い得る。いくつかの実施形態は、本明細書中に説明されるように、または、任意の他の適切なアプローチを用いて、オークションでの値付けを可能にし、ユーザがプロキシによって金融インストルメンツに値付けすることを可能にし得る。取引が完了すると（例えば、ユーザが値付けを受諾する場合、最上の値付けがオークションにて行われる場合等）、いくつかの実施形態は、ユーザが取引を確認することを可能にし得、取引情報を電子的にユーザのリスク管理またはバックオフィスシステムに提供し得る。取引の間に、いくつかの実施形態は、現在の値付けおよび申し出をリスク管理またはバックオフィスシステムに提供し得る。バックオフィスシステムまたはリスク管理システムは、適切なモデリング技術および予測技術を用いて、所与のユーザの値付けを自動的に決定し得る。バックオフィスシステムまたはリスク管理システムは、取引システムに値付けを提供し得るか、または、その価格をユーザに提供し得、その結果、ユーザが手動で値付けを行い得る。
【００３１】
本発明の上述および他の目的ならびに利点は、同じ参照符合が同じ部分を参照している添付された図面と関連させて以下の詳細な説明を考慮すると、明らかになる。
【００３２】
（例示的な実施形態の詳細な説明）
本明細書中に用いられるように、「スワップ」および「複数のスワップ」は、当事者が周期的な支払いを交換することに同意する任意のタイプの構成を含むように意図される。スワップは、例えば、利率−利率スワップ、通貨スワップ、ゼロクーポンスワップ、基本利率のスワップ、キャップ、フロア、カラー、または任意の他のタイプのスワップまたはスワップ関連製品を含む。利率−利率スワップにおいて、利率スワップと本明細書中で呼ばれると、取引相手の当事者は、利率に基づいて支払いをスワップする。エクイティスワップにおいて、当事者両方は、いくつかのエクイティインデックスに基づいて支払いを交換する。通貨スワップにおいて、取引相手の当事者は、異なる通貨（例えば、フランスフランに対するフランスフラン）に基づいて支払いを交換する。ゼロクーポンスワップにおいて、固定利率支払いは、通常、スワップの「支払日」と呼ばれるスワップの期間が終了するまで支払いを行うように必要とされない。基本利率スワップにおいて、当事者は、異なる流動利率基準に基づく流動利率支払いを交換する。例えば、一方の当事者が特定の米国財務省証券（Ｕ．Ｓ．Ｔｒｅａｓｕｒｙ）セキュリティ利率（例えば、３ヶ月、６ヶ月、１年、５年、７年、１０年、２０年、または３０年利率）に基づき支払いを行い得る一方で、他方の当事者は、ロンドンインターバンクオファド利率（ＬＩＢＯＲ）に基づき支払いを行う。
【００３３】
キャップ、フロア、およびカラーは、利率契約と時々呼ばれる追加的なタイプのスワップである。これらのタイプのスワップにおいて、アップフロントプレミアム（ｕｐ  ｆｒｏｎｔ  ｐｒｅｍｉｕｍ）の一方の当事者は、一般に参照利率（ｒｅｆｅｒｅｎｃｅ  ｒａｔｅ）と呼ばれる計画された利率（ｄｅｓｉｇｎａｔｅｄ  ｉｎｔｅｒｅｓｔ  ｒａｔｅ）が所定のレベルの上下である場合に、他方の当事者を補償することに同意する。この所定のレベルは、通常、「ストライク（ｓｔｒｉｋｅ）」と呼ばれる。キャップにおいて、当事者は、参照利率がストライクより上になる場合に支払いを行うことに同意する。フロアにおいて、当事者は、参照利率がストライクより下になる場合に支払いを行うことに同意する。キャップおよびフロアは、カラーを形成するように組み合わせ得る。当事者は、例えば、同時に利率キャップを購入し得（すなわち、参照利率がストライクより上である場合に支払いを受信する約束を購入する）、利率フロアを売却し得る（すなわち、参照利率がストライクより下である場合に支払いを受信する約束を売却する）。
【００３４】
これらの各スワップにおいて、支払いは、元金量に適用されるような利率またはインデックス、または、通常、公称量と呼ばれる通貨の元金量を基礎とする。スワップは、包括的な（ｇｅｎｅｒｉｃ）スワップ、絶対返済約定付きのスワップ、アクレッティング（ａｃｃｒｅｔｉｎｇ）スワップ、またはローラーコースタースワップであり得る。満期一括償還スワップと呼ばれる包括的なスワップにおいて、公称量は、スワップの期間にわたって変動しない。絶対返済約定付きのスワップにおいて、公称量は、スワップ期間にわたって所定の方法でスワップの償還期間を低減させる。アクレッティングスワップにおいて、公称量は、スワップ期間にわたって、所定の方法で増加する。ローラーコースタースワップにおいて、公称量は、例えば、当事者の負債の構造に依存して、期間から期間までに上下し得る。スワップの公称量を変更する任意の他の適切なアプローチが提供され得る。
【００３５】
スワップは、利率およびポートフォリオの通貨リスク開示を管理するように、当事者によって用いられることが多い。例えば、銀行Ａは、固定利率で預金利率を支払う約定をしている。これらの約定は、銀行の固定利率の負債と呼ばれる。上記負債はまた、変動可能であるか、または流動であり得る。次いで、銀行Ａは、変動または流動利率でお金を他人に貸し得、預金の利率を支払い、追加的なファンドを獲得し得る。銀行からのローンは、銀行の流動利率アセットと呼ばれ得る。アセットはまた、固定利率であり得る。簡潔に言うと、銀行は、この例でば、銀行のアセットの流動利率が銀行の負債プラス銀行の諸経費の固定利率より高い場合に、お金を作る。この例では、利率リスクは、利率が下がる予定となるという銀行Ａに対するリスクである。利率が十分に下がると、銀行Ａは、銀行Ａのアセットに基づいて受け取るよりも銀行Ａの負債に基づく利率に関してより多くの支払いをし得る。銀行Ａは、この利率リスクをその変動率アセットの一部を別の当事者からの固定利率での支払いにスワップすることにより、この利率リスクを最小限にしようとし得る。
【００３６】
利率リスクをオフセットするスワップの使用は、利率−利率スワップの以下の例に示される。銀行Ａは、銀行Ａが預金の使用に利息を支払うという約定を銀行Ａの預金者と交わす代わりに、銀行Ａの預金者から５０，０００，０００ドルを調達すると仮定する。この例では、銀行Ａが預金の使用に固定利率８％を支払うことに同意する。次いで、銀行Ａは、銀行Ａが受け取った５０，０００，０００ドルを、５年の間、株式会社Ｂに貸す。５０，０００，０００ドルと交換に、株式会社Ｂは、ロンドンインターバンクオファド利率（ＬＩＢＯＲ）に基づく変動利率プラス２％を支払うことに同意する。ＬＩＢＯＲが８％であると仮定すると、株式会社Ｂは、５年のローン期間の間、銀行Ａに利息として１０％を支払う。したがって、銀行Ａは、株式会社Ｂからのローンの収入（すなわち、１０％）と預金者への負債（すなわち、８％）または５０，０００，０００ドルの２％との間の差額を獲得する。ＬＩＢＯＲが６％未満に下落する（年間利率がその利率より株式会社Ｂに対するローンの利率）と、銀行Ａは、その預金者に支払わなければならない。したがって、銀行Ａは、お金を失う。これが銀行Ａの利率リスクである。
【００３７】
銀行Ｃが以下の条件で銀行Ａと金利スワップ取引を行う意思があると仮定すると、（１）スワップ取引の条件は、５年であり、スワップ取引の量（通常、その「概念的量」と呼ばれる）５０００万ドルであり、（２）毎年、銀行Ｃは、銀行Ａに、５０００万ドルの７％を払い、（３）毎年、銀行Ａは銀行Ｃに５０００万ドルの概念的量の０．５％を加えたロンドン銀行間取引金利（ＬＩＢＯＲ）を支払う。毎年、銀行Ａがその預金者に支払わねばならない金利に関連するスワップ取引の影響は、以下の通りである。（１）銀行Ａは銀行Ｃに０．５％を加えたＬＩＢＯＲを支払うが、企業Ｂから２％を加えたＬＩＢＯＲを稼ぎ、その結果、銀行Ａへの正味の流入は５０００万ドルの１．５％であり、（２）銀行Ｃは銀行Ａに５０００万ドルの７％を支払い、銀行Ａはその預金者に５０００万ドルの８％を支払い、その結果、銀行Ａからの正味の流出は１％である。したがって、銀行Ａは、ＬＩＢＯＲが増加するか、減少するかにかかわらず、５０００万ドルの０．５％（すなわち、５０ベーシスポイント（ｂｐｓ））を稼ぎ、銀行のポートフォリオの任意の金利リスクを効率的に取り除く。
【００３８】
実際的には、スワップ取引ユーザが固定金利を支払うことを望む場合、スワップ取引ユーザは、通常、スワップ取引ディーラからの「オファ（ｏｆｆｆｅｒ）」を求めるといわれる。スワップ取引ユーザが固定金利を受け取ることを望む場合、スワップ取引ユーザは、通常、スワップ取引ディーラから「ビッド（ｂｉｄ）」を求めるといわれる。明瞭の目的のために、本明細書において使用される条件「ビッド」（単数（ｂｉｄ）または複数（ｂｉｄｓ））は、スワップ取引ユーザ、スワップ取引ディーラまたは金融機関の他のトレーダのいずれであろうとシステムユーザの任意のタイプに対して、実際的に使用されるように、オファ、ビッドまたはそれらの組み合わせを含むと意図されている。条件「ビッド」は、また、任意の他の金融機関（例えば、株、債券、投資信託など）に関する任意の他の適切なビッドまたはオファを含み得る。本明細書においては、ビッドを求めることを「オファ」を提示すると呼ぶこともある。
【００３９】
本発明の原理に従った電子取引システムは、例えば、非オンライン（すなわち、従来のクライアント／サーバ）アプローチ、または、好ましくは、オンラインアプローチを用いて、実現され得る。所望な場合、これらのアプローチの組み合わせを用いてもよい。電子取引システムについての例示的なオンラインおよび非オンライン型構成を図１ａおよび図１ｂにそれぞれ示す。図１ａの例示的なオンライン構成において、アクセスデバイス２００は、リンク１０５を介してインターネット１１０に接続され得る。アクセスデバイス２００は、取引システムのユーザへのインターネットアクセスを提供するのに適した任意のデバイスまたはデバイスの組み合わせを含み得る。アクセスデバイス２００は、例えば、任意の適切なパーソナルコンピュータ（ＰＣ）、携帯型コンピュータ（例えば、ノートブックコンピュータ）、パームトップコンピュータ、ハンドヘルドパーソナルコンピュータ（Ｈ／ＰＣ）、自動車ＰＣ、携帯情報端末（ＰＤＡ）、インターネット可能携帯電話、携帯電話とＰＤＡとの組み合わせ、セットトップボックス（例えば、ウェブＴＶ可能セットトップボックス）、電子ブック、または、インターネットアクセスを提供するのに適した任意の他のデバイスを含み得る。
【００４０】
インターネットサーバ１１５は、取引システム（例えば、ウェブサーバ）へのオンラインアクセスをユーザに提供するのに適した任意のサーバであり得る。インターネットサーバ１１５は、例えば、ウィンドウズ（Ｒ）ＮＴ  ４．０  エンタープライゼスエディション（Ｗｉｎｄｏｗｓ（Ｒ）  ＮＴ  ４．０  Ｅｎｔｅｒｐｒｉｓｅ  Ｅｄｉｔｉｏｎ）およびマイクロソフトのインターネット情報サーバ（Ｍｉｃｒｏｓｏｆｔ’ｓ  Ｉｎｔｅｒｎｅｔ  Ｉｎｆｏｒｍａｔｉｏｎ  Ｓｅｒｖｅｒ）を実行し得る。インターネットサーバ１１５は、例えば、１つ以上の適切なプロトコル（例えば、ハイパーテキスト転送プロトコル（ＨＴＴＰ）および転送制御プロトコル／インターネットプロトコル（ＴＣＰ／ＩＰ））を用いて、アクセスデバイス２００に１つ以上のページを提供し得る。セキュリティの目的で、セキュアＨＴＴＰ（ＨＴＴＰＳ）およびセキュアソケットレイヤ（ＳＳＬ）プロトコルが、ページを交換するために使用され得る。Ｖｅｒｓｉｇｎ，  Ｉｎｃ．  ｏｆ  Ｍｏｕｎｔａｉｎ  Ｖｉｅｗ、Ｃａｌｉｆｏｒｎｉａ，  ＵＳＡによるデジタル証書などのデジタル証書が、また、使用され得る。所望ならば、マイクロソフトの分散ネットワークアーキテクチャ金融サービス（Ｄｉｓｔｒｉｂｕｔｅｄ  Ｎｅｔｗｏｒｋ  Ａｒｃｈｉｔｅｃｔｕｒａｌ  Ｆｉｎａｎｃｉａｌ  Ｓｅｒｖｉｓｅｓ）（ＤＮＡｆｓ）などの全体的な解決手法を使用してもよい。ページは、例えば、任意の適切なマークアップ言語（例えば、汎用マークアップ言語（Ｓｔａｎｄａｒｄ  Ｇｅｎｅｒａｌｉｚｅｄ  Ｍａｒｋｕｐ  Ｌａｎｇｕａｇｅ）（ＳＧＭＬ）、ハイパーテキストマークアップ言語（ＨｙｐｅｒＴｅｘｔ  Ｍａｒｋｕｐ  Ｌａｎｇｕａｇｅ）（ＨＴＭＬ）、動的ハイパーテキストマークアップ言語（Ｄｙｎａｍｉｃ  ＨｙｐｅｒＴｅｘｔ  Ｍａｒｋｕｐ  Ｌａｎｇｕａｇｅ）（ＤＨＴＭＬ）、または、任意の他の適切なマークアップ言語またはマークアップ言語ドキュメントを規定するプロトコル）を用いて、ページを規定し得る。そのページは、ミニ‐プログラム（例えば、Ｊａｖａ（Ｒ）アプレット）を規定する、スクリプト、コンピュータコード、または、コンピュータコードのサブセットを含み得る。所望ならば、セキュアＭＩＭＥ（Ｓ／ＭＩＭＥ）は、ｅメール案内および確認をユーザに提供するために使用され得る。任意の適切なプロトコルおよび記録規定スキームは、例えば、拡張マークアップ言語（Ｅｘｔｅｎｓｉｂｌｅ  Ｍａｒｋｕｐ  Ｌａｎｇｕａｇｅ（ＸＭＬ）、金融商品マークアップ言語（Ｆｉｎａｎｃｉａｌ  Ｐｒｏｄｕｃｔ  Ｍａｒｋｕｐ  Ｌａｎｇｕａｇｅ）（ＦＰＭＬ）、金融情報交換マークアップ言語（Ｆｉｎａｎｃｉａｌ  Ｉｎｆｏｒｍａｔｉｏｎ  Ｅｘｃｈａｎｇｅ  Ｍａｒｋｕｐ  Ｌａｎｇｕａｇｅ）（ＦＩＸＭＬ）、ネットワーク取引モデル（ＮＴＭ）または任意の他の適切な言語またはプロトコルなどの金融データを転送するために使用され得る。
【００４１】
リンク１０５は、アクセスデバイス２００へのインターネットアクセスを提供するのに適した任意の伝送媒体を含み得る。リンク１０５は、例えば、ダイヤルアップ電話線、コンピュータネットワークまたはインターネットリンク、赤外リンク、無線周波リンク、衛星リンク、デジタル加入者線リンク（例えば、ＤＳＬリンク）、ケーブルモデムリンク、任意の他の適切な伝送リンク、または、そのようなリンクの適切な組み合わせを含み得る。異なるリンク１０５は、例えば、インターネットアクセスデバイス２００の特定のタイプに応じて、異なるタイプからなり得る。
【００４２】
特定のデバイス２００とリンク１０５とに基づいて、リンク１０５を介して、アクセスデバイス２００と、インターネットおよびアプリケーションサーバ１１５との間の通信を支援するのに適した任意のプロトコルまたはプロトコルの組み合わせが使用され得る。例えば、イーサネット（Ｒ）、トークンリング、ファイバ分散データインターフェース（ＦＤＤＩ）、回路切り換え携帯（ＣＳＣ）、携帯デジタルパケットデータ（ＣＤＰＤ）、ＲＡＭ移動データ、移動通信のためのグローバルシステム（ＧＳＭ）、時間分割多重通信（ＴＤＭＡ）、符号分割多重通信（ＣＤＭＡ）、シリアルラインインターネットプロトコル（ＳＬＩＰ）、ポイントツゥポイントプロトコル（ＰＰＰ）、転送制御プロトコル／インターネットプロトコル（ＴＣＰ／ＩＰ）、シーケンスパケット交換およびインターネットワークパケット交換（ＳＰＸ／ＦＰＸ）プロトコル、あるいは、任意の他の適切なプロトコルまたはプロトコルの組み合わせを使用し得る。
【００４３】
データベースサーバ１２０は、例えば、マイクロソフトＳＱＬサーバ  Ｖ．７．０などの任意の適切なデータベースエンジンを実行し得る。データベースサーバ１２０は、システム情報の使用されたデータベースエンジンに適したデータベース（単数または複数）を保持し得る。システム情報は、例えば、システムのユーザに関する情報（例えば、スワップ取引ユーザおよびスワップ取引ディーラ情報）、未清算スワップ取引処理、および任意の他の適切な情報を含み得る。ユーザ情報は、例えば、ユーザ名、電話番号、住所、会社情報、口座情報、クレジットライン情報、システム機能を実行するためのシステムに適した任意の他の情報、または、それらの任意の適切な組み合わせを含み得る。ユーザ情報は、また、例えば、システムがユーザへの特殊化された電子条件概要書を提供するように使用し得るというスワップ取引条件を含み得る。スワップ取引処理情報は、任意のスワップ取引条件、ビッド、ビッドを行うもの、または、任意の他の適切な情報を含み得る。
【００４４】
インターネットおよびアプリケーションサーバ１１５は、任意の適切なアプローチを用いて、データベースサーバ１２０からシステム情報を取り出すか、または、データベースサーバ１２０にシステム情報を提供し得る。インターネットおよびアプリケーションサーバ１１５は、例えば、１つ以上の共通のゲートウェイインターフェース（ＣＧＩ）、または、データベースサーバ１２０からインターネットおよびアプリケーションサーバ１１５に提出された情報をアクセスデバイス２００に提供するか、または、アクセスデバイス２００により提出された情報をデータベースサーバ１２０に提供するアクティブサーバページ（ＡＳＰ）スクリプトを有し得る。インターネットサーバ１１５上の１つ以上のプロセスは、例えば、ＳＱＬリクエストを生成し、処理のためのデータベースサーバ１２０上で実行するＳＱＬサーバエンジンにそのリクエストを提供し得る。アプリケーションサーバ１２０は、そのリクエストについてのデータを取得し、そのデータをインターネットおよびアプリケーションサーバ１１５に提供する。インターネットおよびアプリケーションサーバ１１５は、そのデータをウェブページにフォーマット化し、そのウェブページをアクセスデバイス２００に提供し得る。
【００４５】
別のアプローチにおいて、インターネットおよびアプリケーションサーバ１１５は、例えば、１つ以上の遠隔手続呼び出しを用いてデータサーバ１２０上に常駐する遠隔手続を呼び出し得る。データベースサーバ１２０は、例えば、そのような呼び出された遠隔手続についてＳＱＬステートメントを実行し得る。さらに別の適切なアプローチにおいて、インターネットおよびアプリケーションサーバ１１５により実行されたオブジェクトは、例えば、オブジェクトリクエストブローカ（ＯＲＢ）を用いて、データベースサーバ１２０によって実行されたオブジェクトと通信し得る。これは、例えば、マイクロソフトの分散要素オブジェクトモデル（ＤＣＯＭ）アプローチを用いて呼び出し得る。任意の他の適切な方式を用いてもよい。図１ａは、個別のサーバとして、インターネットおよびアプリケーションサーバ１１５およびデータベースサーバ１２０を示す。実際的には、２つのサーバの機能のすべてまたは一部は、単一のサーバに組み合わせられてもよいし、複数のサーバによって共有されてもよい。
【００４６】
インターネットおよびアプリケーションサーバ１１５またはデータベースサーバ１２０は、スワップ取引についてのリアルタイムオークションを提供するのに適した１つ以上のプロセスを実行し得る。任意の適切なプロセス（単数または複数）を使用してもよい。例えば、インターネットおよびアプリケーションサーバ１１５は、Ｏｐｅｎ  Ｓｉｔｅ  Ｔｅｃｈｎｏｌｏｇｉｅｓ  ｏｆ  Ｒｅｓｅａｒｃｈ  Ｔｒｉａｎｇｌｅ，  Ｎｏｒｔｈ  Ｃａｒｏｌｉｎａ，  ＵＳＡから市販されているＤｙｎａｍｉｃ  Ｐｒｉｎｃｉｎｇ  Ｔｏｏｌｋｉｔなどのオークションエンジンまたはパッケージを実行し得る。
【００４７】
データベースサーバ１２０およびアクセスデバイス２００は、インターネット２１０を介して、電子商用システム１２５、ドキュメントシステム１３０、ページング／ダイヤリングシステム１０３またはそれらの適切な組み合わせに接続され得る。あるいは、データベースサーバ１２０は、ローカルエリアネットワーク、ワイドエリアネットワークまたは他のリンクあるいはリンクの組み合わせ（図示せず）を介してこれらのシステムと接続され得る。図１ａは、データサーバ１２０から分離されているこれらのシステムを示している。実際的には、データベースサーバ１２０、インターネットおよびアプリケーションサーバ１１５およびこれらのシステムの１つ以上の機能は、単一のシステムに統合されてもよい。
【００４８】
電子商用システム１２５は、未清算スワップ取引の条件に従って、ユーザまたはユーザの口座間の資金を電子的に転送する１つ以上のコンピュータを含み得る。資金を電子的に転送することは、例えば、金融ＥＤＩ（ＦＥＤＩ）、電子資金転送（ＥＦＴ）、セキュア電子処理プロトコル（ＳＥＴ）、統合電子支払イニシアティブ（ＪＥＰＩ）などの任意の適切なアプローチまたは任意の他の適切なアプローチを用いて、為され得る。実際的には、取引システムによって使用されたプロトコルスタックは、選択されたシステムインプリメンテーション（例えば、セキュアＨＴＴＰ（ＨＴＴＰＳ）、セキュアソケットレイヤ（ＳＳＬ）または任意の他の適切なプロトコルあるいはプロトコルの組み合わせなど）に適したセキュアなプロトコルを含み得る。
【００４９】
ドキュメントシステム１３０は、スワップ取引関連ドキュメントを保持し、そのようなドキュメントの交換を提供するのに適した１つ以上のコンピュータおよび他のデバイス（例えば、プリンタ、スキャナ、ファックスなど）を含み得る。本明細書において使用されるように、スワップ取引関連ドキュメントは、例えば、条件概要書、確認、国際スワップ取引ディーラ連盟（ＩＳＤＡ）、ドキュメント、英国バンカー（ｂａｎｋｅｒ）連盟（ＢＢＡ）ドキュメント、または、任意の他の適切なタイプのドキュメントを含み得る。これらのドキュメントの電子バージョンは、ドキュメントシステム１３０によって、適切なファイル（例えば、ＰＤＦファイル）として保持され得る。所望ならば、ドキュメントシステム１３０は、取引システムを使用することなく以前に取得されたスワップ取引または提案されたスワップ取引について条件概要書を走査する機会をユーザに提供し得る。ドキュメントシステム１３０は、光学式文字認識（ＯＣＲ）ソフトウェアを用いてそのドキュメントをテキストに変換し得る。ドキュメントシステム１３０は、そのテキストを走査し得、未清算スワップ取引についての支払データを削除し得る。この情報は、アプリケーションサーバ１２０に提供され得る。適切な時間において（例えば、支払期日の場合）、データベースサーバ１２０は、電子商用システム１２５に、スワップ取引の条件にしたがって資金を転送することを指示し得る。
【００５０】
ドキュメントシステム１３０は、また、提案されたスワップ取引条件についての条件概要書を吟味し得、その条件をデータベースサーバ１２０に提供し得る。アプリケーションサーバ１２０またはインターネットサーバ１１５は、提案されたスワップ取引についてのオークションを開始し得る。これにより、ユーザは、紙の条件概要書を提出することによって提案されたスワップ取引を規定することができる。ユーザは、例えば、ファクスしてもよく、さもなくば、処理のために、紙の条件概要書をドキュメントシステム１３０に提供してもよい。
【００５１】
ページング／ダイヤリングシステム１０３は、ダイヤリングまたはページングユーザのための任意の適切なコンピュータベースのシステムであり得る。ページング／ダイヤリングシステム１０３は、例えば、ユーザに係争中のオークションを通知するか、ユーザの完成されたプロキシビッドが別のビッドに負けたことをユーザに通知するか、ユーザに連絡してスワップ取引を口頭で確認するか、または、任意のほかの適切な目的で、ユーザに電話するか、呼び出し得る。ページング／ダイヤリングシステム１０３は、例えば、シンプルネットワークページングプロトコル（ＳＮＰＰ）を用いて、ユーザをページングするのに適したモデムおよびソフトウェアを有し得る。アクセスデバイス２００が適切なハードウェアおよび処理機能（例えば、音声ボード、マイクロフォン、スピーカなど）を有する場合、ページング／ダイヤリングシステム１０３は、第３者の自動ダイヤリング、および、インターネットまたはテレフォンダイヤルリンクを介するボイスツゥボイス通信を提供し得る。
【００５２】
図１ｂは、本発明の取引システムについての例示的な非オンライン構成を示す。図１ｂの非オンライ構成において、パーソナルコンピュータ１８０は、ネットワーク１７５を介してアプリケーションサーバ１２１に相互接続される。ネットワーク１７５は、任意の適切なローカルネットワークエリア（ＬＡＮ）、ワイドエリアネットワーク（ＷＡＮ）または他の適切なネットワークであり得る。パーソナルコンピュータおよびネットワークを介するそれらの相互接続は周知である。所望ならば、１つ以上のパーソナルコンピュータ１８０は、システムへの遠隔アクセスをユーザに提供する遠隔アクセスデバイス１８３によってアクセスされ得る。遠隔アクセスデバイス１８３は、任意の適切なデバイス（例えば、パーソナルコンピュータ、携帯情報端末、携帯電話、または、遠隔アクセス機能を備えた他のデバイス）であり得る。
【００５３】
アプリケーションサーバ１２１は、例えば、マイクロソフト  ＳＱＬ  サーバ  Ｖ．７．０などの任意の適切なデータベースエンジンを実行し得る。アプリケーションサーバ１２１は、システム情報データベース１２３を保持し得る。パーソナルコンピュータ上で実行するクライアントアプリケーションにより、ユーザは、システムの機能にアクセスすることができる。クライアントは、例えば、メッセージとしてＳＱＬリクエストをサーバ１２１に送り得る。別の適切なアプローチにおいて、クライアントアプリケーションは、１つ以上の遠隔手続呼び出しを用いて、サーバ１２１に常駐する遠隔手続を呼び出し得る。サーバ１２１は、そのように呼び出された遠隔手続についてのＳＱＬステートメントを実行し得る。さらに別の適切なアプローチにおいて、クライアントアプリケーションによって実行されたクライアントオブジェクトは、例えば、オブジェクトリクエストブローカ（ＯＲＢ）を用いて、サーバ１２１によって実行されたサーバオブジェクトと通信し得る。これは、例えば、マイクロソフトの分散要素オブジェクトモデル（ＤＣＯＭ）アプローチを用いて、呼び出し得る。任意の他の適切な非オンライン系通信方式を使用してもよい。
【００５４】
電子商用システム１２５、ドキュメントシステム１３０、ページング／ダイヤリングシステム１０３またはそれらの任意の適切な組み合わせは、リンク１０７を介してアプリケーションサーバ１２１に接続され得る。リンク１０７は、コンピュータネットワークリンク、インターネットリンク、電話リンク、無線リンクまたは任意の他の適切なリンクであり得る。アプリケーションサーバ１２１および１つ以上の電子商用システム１２５の機能は、所望ならば、単一のシステムに組み合わされ得る。
【００５５】
図２は、図１ａのアクセスデバイス２００についての例示的で一般的な構成を示す。アクセスデバイス２００は、例えば、ユーザインターフェース２０５、処理回路部２１０、通信デバイス２２０およびストレージ２３０を有し得る。ユーザインターフェース２０５は、任意の適切な入力デバイス、出力デバイスまたはそれらの組み合わせであり得る。ユーザインターフェース２０５は、例えば、ポインティングデバイス、キーボード、タッチパッド、タッチスクリーン、ペンスタイラス、音声認識システム、マウス、トラックボール、陰極線管（ＣＲＴ）モニタ、液晶表示装置（ＬＣＤ）、音声合成プロセッサおよびスピーカ、または、任意の他の適切なユーザ入力または出力デバイスを含み得る。処理回路部２１０は、ＩｎｔｅｌＰｅｎｔｉｕｍ（Ｒ）マイクロプロセッサなどの任意の適切なプロセッサおよび他の適切な回路部（例えば、入／出力（Ｉ／Ｏ）回路部、直接メモリアクセス（ＤＭＡ）回路部など）を含み得る。通信デバイス２２０は、リンク１９５を介する通信を支援するのに適した任意のデバイスであり得る。通信デバイス２２０は、例えば、モデム（例えば、任意の適切なアナログまたはデジタル規格のケーブルまたは携帯、モデム）、ネットワークインターフェースカード（例えば、イーサネット（Ｒ）カード、トークンリングカードなど）、無線トランシーバ（例えば、赤外、無線または他の適切なアナログまたはデジタルトランシーバ）、または、他の適切な通信デバイスを含み得る。ストレージ２３０は、ＲＡＭ、ＲＯＭ、フラッシュメモリ、ハードディスクドライブなどの任意の適切なメモリ、ストレージデバイス、または、それらの組み合わせであり得る。
【００５６】
図３は、本発明のいくつかの実施形態の様々な機能へのアクセスをユーザに提供することに関する例示的な工程の概略図のフローチャートである。図４および図５は、さまざまな実施形態の機能を提供することに関する工程の、例示的で、より具体的なフローチャートを示す。図３〜５に示される工程は、例えば、システムおよびそのインプリメンテーションによって提供された機能に基づいて、任意の適切な順序で実行され得る。所望ならば、いくつかの工程は削除されてもよく、他の工程が追加されてもよい。
【００５７】
図３〜図５に示されるいくつかの工程は、電子取引システムと相互作用する機会をユーザに提供することに関する。そのような工程は、例えば、そのような機会を提供するのに適した画面を生成またはダウンロードするようにプログラミングされたクライアントアプリケーションによって、そのような機会を提供するのに適したページをダウンロードするインターネットブラウザによって、または、任意の他の適切なアプローチを用いて、実行され得る。他の工程は、オークションに参加するようにユーザを勧誘するか、オークションを提供するか、処理を提示するか、または、他のタイプの処理を行うなどの、さらなる処理に関し得る。非オンライン構成において、そのような処理は、選択されたシステムインプリメンテーション、および、その処理がシステム情報データベース１２３（図１ｂ）に問い合わせる度合いに応じて、クライアントまたはサーバによって、実行され得る。オンライン構成において、そのような処理は、例えば、アクセスデバイス２００の処理および格納能力、使用されたメークアップ言語ドキュメントに対して選択されたインプリメンテーション、その処理がシステム情報データベース１２３に問い合わせる度合い、または、他の要因に応じて、アクセスデバイス２００、インターネットおよびアプリケーションデバイス１１５またはデータベースサーバ１２０（図１ａ）によって、実行され得る。明瞭さおよび限定しない目的のために、以下の議論では、示された工程を実行するのに適した任意の非オンライン構成またはオンライン構成を含むことを意図している「システム」によって実行されるように、図３−５に示される工程を説明する。
【００５８】
工程３００において、そのシステムは、システムにログインする機会を、ユーザ（例えば、スワップ取引ユーザ、スワップ取引ディーラ、または、他の金融機関のトレーダ）に提供し得る。これは、任意の適切なアプローチを用いて為され得る。そのシステムは、例えば、ユーザがウェブ‐ブラウザまたは他のインターネットナビゲーションソフトウェアでシステムにアクセスするのに応じて、ログインページを提供し得る。別の適切なアプローチにおいて、そのシステムは、（例えば、プログラムアイコンを選択することによって、適切なパスおよびファイル名を入力することによって、など）アプリケーションを起動することを望んでいることをユーザが示したのに応じて、ログイン画面を提供し得る。工程３１０において、システムは、スワップ取引オファを提示する機会をユーザに提供し得る。図４は、スワップ取引オファを提示することに関する例示的な工程を示す。スワップ取引ユーザは、例えば、スワップ取引ディーラにスワップ取引の影響を与えるようにスワップ取引オファを提示し得る。スワップ取引ディーラは、例えば、ディーラ間スワップ取引に影響を与えるようにスワップ取引オファを提示し得る。スワップ取引ディーラは、所望な場合、スワップ取引オファをスワップ取引ユーザに提示し得る。そのシステムは、図４の工程４００においてスワップ取引オファについての条件を示す機会を、電子取引システムユーザに提供し得る。そのシステムは、任意の適切なユーザインターフェース要素または要素の組み合わせを使用して、スワップ取引の条件を示す機会を、電子取引システムユーザに提供し得る。そのシステムは、例えば、テキストボックス、ドロップダウンリスト、検索可能テキストリスト、チェックボックス、プッシュボタン、無線ボタン、任意の他の適切なインターフェース要素またはそれらの任意の適切な組み合わせを使用し得る。別のアプローチにおいて、システムユーザは、印刷されたスワップ取引オファ条件概要書に記入し、ファックスするか、さもなければ、その概要書を処理するためにドキュメントシステム１３０（図１ａおよび図１ｂ）に提供することによって、スワップ取引オファについての条件を示し得る。
【００５９】
スワップ取引条件は、例えば、ユーザの立場（例えば、ユーザが固定金利の支払を支払うか、受け取るか）、スワップ取引決済日、返済日、スタブ期間、スワップ取引が請求次第支払われるかどうか、支払催促のタイプ、概念量、概念量が償却されたか、増大しているか、支払の頻度、固定金利の変動（例えば、日数がどのように計算されるか、支払の休日があるかどうか、それらをどのように取り扱うか、など）、変動支払金利の指標、金利利権および利権スワップ取引についての利権指標、浮動金利変動（例えば、日数がどのように計算されるか、支払の休日があるかどうか、それらをどのように取り扱うか、など）、ドキュメント化のタイプが必要とするもの（例えば、国際スワップ取引ディーラ連盟（ＩＳＤＡ）ドキュメント、英国バンカー連盟（ＢＢＡ）、ドキュメント、など）、通貨のタイプ（通貨スワップ取引について）、ストライクおよびフィ（ｓｔｒｉｋｅ  ａｎｄ  ｆｅｅ）または割増価格（上限および下限）、または、任意の他の適切なスワップ取引条件またはスワップ取引条件の組み合わせを含み得る。
【００６０】
そのシステムは、工程４００の機会を提供するために１つ以上の電子スワップ取引条件概要書をユーザに提供し得る。所望ならば、そのシステムは、１つ以上の特殊化された条件概要書を提供し得る（工程４１０）。特殊化された電子条件概要書は、一般的にユーザに所望されるスワップ取引条件のみを含み得る。例えば、ユーザが一般的に利権スワップ取引に関する場合、スワップ取引を規定するとき、ユーザは、１つ以上の利権指標から選択する機会を有するように所望し得る。このユーザが、また、金利指標を示す機会を有することは、特に有用ではないかもしれない。このユーザに対する特殊化された電子スワップ取引条件概要書は、利権指標を選択する機会をユーザに提供するユーザインターフェース要素を含み得、金利を示す任意のインターフェース要素を含まないかもしれない。別の例として、金利スワップ取引に参加するユーザは、一般的に、特定のタイプの金利（例えば、ＬＩＢＯＲ）にユーザの金動を限定し得る。このユーザに対する特殊化された条件概要書は、１つ以上のＬＩＢＯＲ率を選択する機会をユーザに提供するインターフェース要素を含み得、例えば、米国債金利を示すように設けられた任意のインターフェース要素を含まないかもしれない。電子条件概要書は、所与のユーザについてのスワップ取引条件の任意の適切な組み合わせを含むように、特殊化され得る。そのシステムは、例えば、ユーザのログインＩＤに基づいて、特殊化された条件概要書を提供し得る。
【００６１】
工程４１５において、そのシステムは、オファを提示するユーザ（しばしば、「提示ユーザ」と呼ばれる）に、提示ユーザがスワップ取引オファに関するビッドを有することを望む、ひとり以上のユーザ（本明細書において、しばしば、「招待客ユーザ」と呼ばれる）を電子的に示す機会を提供し得る。提示ユーザは、ユーザの信用度または他の考慮条件に基づいて、ひとり以上の招待客ユーザを示し得る。所望な場合、そのシステムは、全てのシステムユーザの部分集合からひとり以上の招待客ユーザを選択する機会をユーザに提供し得る。そのシステムにより、例えば、提示ユーザが、スワップ取引ディーラのみを示すことができる。所望ならば、そのシステムは、提示ユーザが提供することを望むディーラのみを提供するように、ディーラのリストを特殊化し得る。そのシステムは、例えば、ユーザのログインＩＤに基づいて、特殊化された招待客リストを提供し得る（工程４１７）。
【００６２】
工程４２０において、そのシステムは、ひとり以上のスワップ取引オークションパラメータを示す機会を提示ユーザに提供し得る。スワップ取引オークションパラメータは、例えば、スワップ取引が開いてるか、閉まってるか、その開始時間、支払準備率または最小のビッド、確認方法（例えば、システムメッセージまたはｅメールなどの電子メッセージによって自動的に、電話によって、など）、オークションがどのように終了し得るか（例えば、終了時間、ユーザ承認、ビッドなしの期間、など）、または、任意の他の適切なオークションパラメータを含み得る。そのシステムは、また、スワップ取引オファが指し値注文であることを示す機会を提示ユーザに提供し得、支払準備率をビッドする第１のビッド者すなわち最小のビッド者はスワップ取引オークションの勝者となる。
【００６３】
工程４３０において、そのシステムは、スワップ取引オファを承認する機会を提示ユーザに提供し得る。これは、任意の適切なアプローチを用いて為され得、そのシステムは、例えば、スワップ取引オファ条件、示された招待客ユーザ、オークションパラメータまたはそれらの任意の適切な組み合わせが、提示ユーザの再考のために表示される、１つ以上のページまたは画面を提供し得る。また、提示ユーザは、オファが承認されるかどうかを示し得るように、プッシュボタンなどの適切なインターフェース要素が設けられ得る。スワップ取引オファが規定され、承認された後（所望ならば）、そのシステムは、図１ａおよび図１ｂのシステム情報データベース１２３にスワップ取引オファを提示し得る（工程４４０）。そのシステムは、また、スワップ取引オファについてのオークションに参加するように、工程４１５において示された招待客ユーザを勧誘することができる。
【００６４】
そのシステムは、任意の適切なアプローチを用いて、招待客ユーザを勧誘し得る。そのシステムは、例えば、招待客ユーザがシステムにログインしているかどうかを判定し、そのユーザに勧誘を警告する警告形式のシステムメッセージを提供し得る。別の適切なアプローチにおいて、そのシステムは、システムにログインした後に招待客ユーザがアクセスし得る電子取引システムメッセージを提示し得る。別の適切なアプローチにおいて、そのシステムは、スワップ取引オファを招待客ユーザに警告するｅメールメッセージを生成し得る。別の適切なアプローチにおいて、ユーザがログインしなかった場合、そのシステムは、即時的なポップアップメッセージを提供し得る。さらに別の適切なアプローチにおいて、アプリケーションサーバは、ページング／ダイヤリングシステム１０３に、ユーザにオファを警告するように指示されたユーザに、自動的に電話およびページングするように指示する。
【００６５】
システムは、登録ユーザおよびゲストユーザに、スワップオークションに参加する機会を提供し得る（例えば、図３の工程３２０）。図５は、スワップオークションに参加する機会をユーザに提供することに関与する例示の工程のフローチャートである。工程５００において、システムは、ユーザが参加を所望する特定のスワップオークションを示す機会をユーザに提供し得る。ユーザは、例えば、現行のオークションの画面上のリストからオークションを選択することによって、特定のスワップオークションを示し得る。別の適切なアプローチにおいて、ユーザは、例えば、オークション用の電子メール通知からインターネットリンク（これによって、ユーザはオークションのページに導かれる）を選択することによって、特定のスワップオークションを示し得る。別の他の適切なアプローチを用いてもよい。
【００６６】
ユーザが参加を所望するオークションを示した後、システムは、ユーザが登録ユーザであるかまたはゲストユーザであるかを判定し得る。ユーザが登録ユーザである場合、システムは、スワップへの入札を電子的にモニタリングする機会をユーザに提供し得る（工程５１０）。システムは、（例えば、リアルタイムの非オンラインデータストリーミングアプローチ、ＸＭＬポーリング、または他の任意の適切なアプローチを用いて）現在の入札を示すようにリアルタイムで更新される、表示画面または表示ページを提供し得る。システムは、最高入札額ではない入札を承認する機会も登録ユーザに提供し得る。この機会を登録ユーザに提供することは、例えば、最高入札額ではないが、より高いクレジットリスクによって行われる入札を承認する能力をユーザが望み得る場合、望ましくあり得る。この特徴は、例えば、入札者が他のユーザの入札額を見ることができない、非公開オークションにおいてより適し得る。一般公開オークションで入札の承認を用い得る場合、最高入札額ではない入札を承認することによって、登録ユーザに「最高入札落札（ｂｅｓｔ  ｂｉｄ  ｗｉｎｓ）」方法を不法に用いることを可能にすることは、幾人かの入札者にとっては受け入れ得ないものであり、入札者が時間が無くなるのを恐れてオークションに参加することを厭うようにする傾向があり得る。
【００６７】
工程５００で所望のオークションを示したユーザがゲストユーザである場合、システムは、オークションが一般公開オークションまたは非公開オークションのいずれであるかを判定し得る。オークションが一般公開オークションである場合、システムは、所望するオークションの現行の入札をモニタリングする機会をユーザに提供し得る（工程５２０）。いずれの場合にしても、システムは、スワップに電子的に入札する機会をユーザに提供し得る（工程５３０）。スワップに電子的に入札する機会をユーザに提供することは、任意の適切なアプローチを用いて達成され得る。システムは、例えば、金利、指数、通貨の額、または提供されるスワップの種類に適切な他の任意の入札をユーザに提供し得る。システムはさらに、工程５４０において、１回の動作で（例えば、１個のボタンを押して、１つのリンクをクリックして）現行の最高入札額に勝つ機会をユーザに提供し得る。ユーザはさらに、他の所定の適切なアプローチを用いて入札を行うことによって、現行の最高入札額を超え得る。
【００６８】
システムは、ユーザの現行の入札を撤回する機会をユーザに提供し得る。入札の撤回は任意の適切な方法に限定され得る。例えば、オークションが依然続行している場合か、または入札が承認される前においてのみ、ユーザは入札を撤回し得る。あるいは、ユーザは絶対時間期間を有し得、この間であれば、ユーザはオークションが終了した場合であっても入札を撤回し得る。スワップの確定が必要なアプローチにおいて、例えば、スワップが確定されるまでの任意の時間において、入札の撤回を実行し得る。入札を撤回した際にオークションが終了すると、登録ユーザは、入札を手動で再度掲示するか、またはシステムは撤回に応答して自動的に入札を再度掲示し得る。
【００６９】
システムは、工程５６０において電子プロキシによって入札する機会をユーザに提供し得る。プロキシによって入札する場合、ユーザは、システムがユーザの代わりに自動的に入札するために用いるプロキシ率（ｐｒｏｘｙ  ｒａｔｅ）（または、取引する金融証書に依存して他の用語）を設定し得る。ユーザは、例えば、オークションがもう少しで終了する場合、ユーザがオークションをモニタリングすることが可能でない場合、または任意の他の理由で、電子プロキシによって入札することを所望し得る。ユーザは、プロキシによる入札希望を示して、ユーザの最高入札額を示し得る。システムがスワップへの入札を受信するごとに、システムは、ユーザのために最高入札額より所定の額（例えば、１ベーシスポイントの１／１０）だけ高い額を自動的に入札し得る。システムは、ユーザの最高入札額に達するまで、ユーザのためにプロキシによって入札を続行し得る。より高い入札額が別のユーザによって提示されると、システムは、プロキシ入札者の最高入札額を超えたことをプロキシ入札者に（例えば、電子メールまたはシステムメッセージによって）通知し得る。所望の場合、プロキシ入札者は、オークションが終了する前にオークションに再度参加し、別の入札を行い得る。
【００７０】
システムは、工程５７０においてオークションを終了し得る。システムは、任意の適切なイベントに応答してオークションを終了し得る。システムは、例えば、登録ユーザが入札を承認したことに応答して、オークションを終了し得る。システムは、所定の時間期間の後に新しい入札を受信しなかった場合、指値注文が合った場合、または他の任意の適切なイベントに応答して、登録ユーザによって設定された特定の時間にもオークションを終了し得る。所望の場合、システムは、例えば、特定数の入札をオークションの予定された終了時間の所定の時間内に受信した場合、入札時間を予定された時間を越えて動的に延長し得る（工程５７５）。
【００７１】
図３に戻って、システムは、例えば、組み合わせ（ｂｉｎｄｉｎｇ）スワップを生成するのにオークション自体を終了するだけでは十分でない場合、スワップを確定する機会をユーザに提供し得る（工程３３０）。システムは、任意の適切なアプローチを用いてこの機会をユーザに提供し得る。システムは、例えば、スワップを行うユーザ間で交換される電子メールを電子的に署名する機会をスワップを行うユーザに提供し得る。別の適切なアプローチにおいて、システムは、コンピュータベースの電話（例えば、インターネットプロトコル（ＩＰ）電話）を用いて、口頭でスワップを即時確定する機会をユーザに提供し得る。システムは、例えば、当事者によって署名および交換される、印刷された確認書を作成し得る。さらに別の適切なアプローチにおいて、システムにより、ユーザは、スワップを確定することをユーザに促すインスタントポップアップメッセージを用いて、スワップを確定することが可能になり得る。他の任意の適切なアプローチを用いてもよい。
【００７２】
工程３４０において、システムはスワップ文書を作成し得る。スワップ文書は、印刷されたまたは電子のＩＳＤＡ、ＢＢＡあるいは他の文書など、任意の適切な印刷された文書または電子文書を含み得る。システムはさらに、電子スワップ文書またはスワップ情報を作成して、ユーザのリスク管理システムまたはバックオフィスシステムに提供し得る（工程３４５）。これは、ユーザがスワップ条件をユーザのリスク管理システムまたはバックオフィスシステムに手入力する必要がない、スワップのストレートスルー処理（ｓｔｒａｉｇｈｔ−ｔｈｒｏｕｇｈ  ｐｒｏｃｅｓｓｉｎｇ）を提供し得る。工程３４７において、システムはさらに、スワップ条件によって資金を振替える命令を電子商取引システム１２５に提供し得る。
【００７３】
システムは、その電子スワップ条件シート、ゲストリスト、または他の任意の表示画面またはページを特化する機会をユーザに提供し得る（工程３５０）。これは、任意の適切なアプローチを用いて達成され得る。システムは、例えば、所望のスワップ条件、ゲストの種類、または他の特化情報を示す機会をユーザに提供する、表示画面またはウェブページを提供し得る。あるいは、システムプロバイダは、ユーザと会見して、ユーザの所望のスワップのパラメータ、ゲスト、種類、または他の情報を決定して、特化した画面またはページを提供し得る。
【００７４】
本発明による電子取引システムの特徴は、システムを実施するために用いられる、選択された非オンラインまたはオンラインのアプローチに適切な任意のユーザインターフェースを用いて、ユーザに提示され得る。図６から図１９は、本発明の一実施形態による、電子スワップ取引システムの例示のグラフィカルユーザインターフェースを示す。本発明を限定しないが、説明を明確にするために、図６から図１９を、オンラインの電子スワップ取引システムで用いる例示のウェブページとして示す。所望の場合、図示するインターフェースを、実際に、非オンラインベースのシステムにおける適切な表示画面として用いてもよい。
【００７５】
図６から図１９に示す例示のウェブページは、本発明の幾つかの実施形態の例示の種々の特徴を示す。これらの特徴を用いると、スワップの売りおよび買いを掲示する機会がユーザに提供され得る。以下の図に示すスワップの種類は例示にすぎない。本発明の種々の特徴を用いると、他の任意の適切な種類のスワップの売りおよび買いを掲示する機会がユーザに提供され得る。さらに、図に示すユーザインターフェースエレメントは例示にすぎず、例示のインターフェースエレメントが関連付けられる特徴に適切な他の任意のユーザインターフェースエレメント（例えば、ドロップダウンメニュー、テキストフィールド、ボタン、ラジオボタン、タブ、リンク、チェックボックスの選択可能なグラフィクス、または他の任意の交換可能なインターフェースエレメント）と交換してもよい。
【００７６】
本発明を限定しないが、説明を明確にするために、以下の説明は、図６から図１９の「システム」（例えば、図１ａおよび図１ｂのシステム）によって提供されるウェブページを説明する。「システム」は、１つ以上のウェブページを提供するに適切な任意の非オンラインまたはオンライン構成を含むように意図されている。
【００７７】
本発明の一実施形態による例示のログインページ６００を図６に示す。ログインページ６００は、テキストボックス６０２および６０５を含み得、これにより、ユーザのログインＩＤおよびパスワードを入力する機会がユーザに提供される。ユーザは、例えば、ボタン６１０を押すことによって、自身のユーザＩＤおよびパスワードの入力を終了したことを示し得る。これに応答して、システムは売り選択ページを提供し得る。例示の売り選択ページ７００を図７に示す。
【００７８】
売り選択ページ７００およびシステムの他のページは、グラフィクスおよび広告を含み得るが、図面が過度に複雑になることを回避するために図示していない。グラフィクスは、例えば、商品またはユーザにサービスプロバイダを示すサービスプロバイダの商標を含み得る。広告は、任意の適切なテキスト、グラフィクス、映像、または他の視覚的広告であり得る。視覚的広告は、関連付けられた音声を有し得る。所望の場合、音声のみの広告は、その利用の可能性を視覚インジゲータに表示せずに、再生され得る。
【００７９】
売り選択ページ７００およびシステム内の他のページは、メニューバー７０５を含み得る。メニューバー７０５は、システムの種々の機能にアクセスする機会をユーザに提供し得る。ユーザはメニューバー７０５上のアイテムを選択して、例えば、メニューアイテム７１０を選択することによってホームに行き（すなわち、システムに再度ログインし）、メニューアイテム７２０を選択することによって売りリストを閲覧し、メニューアイテム７３０を選択することによって売りを掲示し、選択メニュー７４０を選択することによってシステムの使用法に関する指示を得、選択メニュー７５０を選択することによってスワップ投資に関するアドバイスを得、選択メニュー７６０を選択することによってログオフし、または他の任意の適切な機能を実行する希望を示し得る。
【００８０】
売り選択ページ７００は、ユーザが売りを掲示することを所望するスワップの種類を示す機会をユーザに提供する１つ以上のリンクも含み得る。この例において、ユーザは、リンク７７０を選択することによって米国ドル（ＵＳＤ）の金利スワップの売りを掲示し、リンク７８０を選択することによってキャップ、フロア、カラーの売りを掲示し、リンク７９０を選択することによって非米国ドル（ＵＳＤ）の金利スワップの売りを掲示し、そしてリンク７９５を選択することによって通貨のスワップの売りを掲示する希望を示し得る。これらの売りの種類は例示にすぎず、ユーザは、他の任意の適切な売りの種類（例えば、エクイティスワップ、ベーシススワップなど）を選択する機会が提供され得る。ページ７００は、自身のウェブページを特化する機会をユーザに提供するリンク７９７も含み得る。
【００８１】
（例えば、売りの種類に対するリンクを選択することによって）ユーザが売りを掲示する希望を示したことに応答して、システムは電子の条件シートを提供し得る。図８ａおよび図８ｂは、ＵＳＤ金利スワップ用の例示の電子の条件シートのページ８００を示す。図９は、キャップ、フロアおよびカラーの例示の条件シートのページ９００を示す。図１０は、非ＵＳＤ金利スワップ用の例示の条件シートのページ１０００を示す。図１１は、通貨スワップの例示の条件シートのページ１２００を示す。
【００８２】
図８ａおよび図８ｂの条件シートのページ８００は、ＵＳＤ金利スワップ用に特化した例示の条件シートである。図示するように、システムは、申し込んだスワップの種々の条件を示す機会をユーザに提供する。ユーザ、この例においてはＡｕｔｏ  Ｍｏｔｏｒ  Ｃｒｅｄｉｔは、ユーザの立場（ユーザが固定金利での支払いを所望するか、または変動金利での支払いを所望するか）を示し得る。この例において、Ａｕｔｏ  Ｍｏｔｏｒ  Ｃｒｅｄｉｔは固定金利での支払いを選択している。ユーザは、スワップが開始する日（通常、スワップ決済日と呼ばれる）を示し得る。ユーザは、スワップが終了する日（通常、スワップ満期日と呼ばれる）を示し得る。
【００８３】
ユーザは、スワップの開始時または終了時に整理（ｓｔｕｂ）期間があるか否かも示し得る。整理期間は、スワップを開始または終了し得る金利期間より短い時間期間である。例えば、年２回の支払いの期日が６月１日および１２月１日であるユーザが、３月１５日にスワップに申し込んだと仮定されたい。３月１５日から６月１日までの最初の期間は、整理期間（これは完全な金利期間ではない）である。システムは、ユーザが整理期間に定めることを所望する場所（例えば、スワップの期間の初めまたは終わり）、および異なる指数または金利を適用すべきか否かを示す機会をユーザに提供し得る。ユーザは、スワップを期日前に償還し得るか否か（予定されている支払い日以外の日に支払いを行うように、ユーザはカウンターパーティに要求し得るか否か）も示し得る。申し込んだスワップが期日前に償還し得る場合、ユーザはコール（ｃａｌｌ）の種類を示し得る。
【００８４】
ユーザは、スワップの想定元本すなわち基本値を示し得る。この例において、想定元本は＄５千万である。ユーザは、スワップの固定金利側または変動金利側の双方に対して、想定元本を償却するか否か、そして想定元本をいかに償却するかを指定し得る。この例において、ユーザは、想定元本を増やす（ａｃｃｒｅｔｅ）機会を提供されない。これは、ユーザ用に特化されたページ８００上にこのようなオプションをユーザが有することを所望しないため起こり得る。
【００８５】
この例において、ユーザは、支払い頻度、カウント日数（ｄａｙ  ｃｏｕｎｔ）、休場の支払日（ｐａｙｍｅｎｔ  ｈｏｌｉｄａｙｓ）、ならびにスワップの固定金利側および変動金利側の変更協定も示し得る。カウント日数を用いると、所与の期間中の満期支払高（ａｍｏｕｎｔ  ｄｕｅ）が計算される。例えば、定期支払額＝カウント日数＊定期利率＊想定元本である。この例において、ページ８００は、カウント日数が３日であるタイプ（ｔｈｒｅｅ  ｄａｙ  ｃｏｕｎｔ  ｔｙｐｅ）のみを含むように特化されている。例えば、Ｕ．Ｓ．  Ｔｒｅａｓｕｒｙ  Ｂｏｎｄｓ  ａｎｄ  Ｎｏｔｅｓなどの債務証書に関して、例えば、経過した実際の日数を所与の年２回のクーポン期間中の日数で除算することによってカウント日数を計算し得る。カウント日数は、例えば、ある期間中の実際の日数（例えば、３１日）を３６０日で除算することによっても計算し得る。例えば、３０日を３６０日で除算した日にカウント日数を設定することによって、期間を固定の長さに設定し得る。他の任意の適切なアプローチを用いてもよい。休場の支払日は、ニューヨーク株式市場またはロンドン株式市場における休日など、種々の取引市場における休日を反映するように選択され得る。ユーザは、休日を含む期間の金利をいかに計算するかを規定する支払い協定（例えば、１日の追加する、そのままにする、前倒しする、後倒しする）を示し得る。システムは、変動金利指数に対するスプレッド（ｓｐｒｅａｄ）を示す機会もユーザに提供し得る。ユーザは、例えば、変動金利が示された変動指数より上または下の複数のベーシスポイントであることを要求し得る。システムはさらに、最初の変動金利を示す機会をユーザに提供し得る。
【００８６】
利用可能なオプション（ここから、ユーザは変動指数を選択し得る）によってこのユーザ用に特化したページ８００のさらなる例を示す。可能な金利およびエクイティ指数のすべての中で、この例におけるユーザは、ＬＩＢＯＲ率を選択する機会のみをユーザに提供するようにページ８００を特化している。しかし、システムは、この例において、リストされていない金利またはエクイティ指数を入力する機会もユーザに提供する。これは、ユーザの通常の金利スワップに対して最適化されており、所望の場合には、同じページから他の金利またはエクイティスワップをユーザが実行することを可能にする、特化されたページをユーザに提供し得る。ページ８００は、取引が確定された場合に任意の文書を作成する必要があるか否かを指定して、任意のユーザコメントを入力する機会もユーザに提供する。
【００８７】
図９は、ユーザがキャップ、フロアまたはカラーの（例えば、図７のリンク７８０を選択することによって）売りを掲示する希望を示したことに応答してシステムが提供し得る、例示の特化された条件シートを示す。ユーザは、例えば、所望のスワップ商品（例えば、キャップ、フロアまたはカラー）、ユーザの立場（例えば、買い手または売り手）、ストライキ（ｓｔｒｉｋｅ）、決済日、満期日、および商品の想定元本を指定し得る。ユーザは、キャップ、フロアまたはカラーの料金またはプレミアム（ｐｒｅｍｉｕｍ）の満期日（ｄｕｅ）も指定し得る。
【００８８】
ユーザが、キャップ、フロアまたはカラーの変動指数（時に、基準率とも呼ばれる）を選択し得る、利用可能なオプションによってこのユーザ用に特化したページ９００の一例を示す。可能な金利およびエクイティ指数のすべての中で、この例におけるユーザは、ＬＩＢＯＲ率を選択する機会のみをユーザに提供するようにページ９００を特化している。しかし、システムは、この例において、リストされていない金利またはエクイティ指数を入力する機会もユーザに提供する。これは、ユーザの通常のキャップ、フロアまたはカラーに対して最適化されており、所望の場合には、同じページから他の金利または指数に基づいて、キャップ、フロアまたはカラーの売りをユーザが規定することを可能にする、特化されたページをユーザに提供し得る。
【００８９】
図１０ａおよび図１０ｂは、非ＵＳＤ金利スワップの売りを掲示する希望をユーザが（例えば、図７のリンク７９０を選択することによって）示したことに応答してシステムが提供し得る例示の、特化された電子の条件シートのページ１０００を示す。図１０ｂは、ユーザが下方にスクロールしたかまたはページを進めたことに応答して現れ得るページ１０００の下部を示す。図１０ａおよび図１０ｂのページ１０００は、図７の例示のＵＳＤスワップのページ７００と同じフィールドの多くを含む。ページ１０００は、この例のドロップダウンリスト１０１０中にさらなるエレメントを含む。ドロップダウンリスト１０１０は、固定金利および変動金利の支払いが行われる通貨を指定する機会をユーザに提供する。
【００９０】
図１１は、通貨スワップの売りを掲示する希望をユーザが（例えば、図７のリンク７９５を選択することによって）示したことに応答してシステムが提供し得る例示の電子の条件シートのページ１２００を示す。ユーザは、例えば、ユーザが取引を所望する通貨、その通貨の想定元本、所望するまたは対象の通貨、および取引の満期日（すなわち、取引が行われる日）を示し得る。
【００９１】
ユーザは、例えば、ボタン８１０を押すことによって、ページ８００、９００、１０００および１２００におけるユーザ表示をクリアする希望を示し得る。これに応答して、システムは、ユーザが条件に記入するブランクページを提供し得る。ユーザは、例えば、ページ８００、９００、１０００および１０１０のボタン８１５を押すことによって、ユーザが売りの定義付けを完了したことを示し得る。これに応答して、システムは、例えば、ゲストページを提供し得る。ゲストページは、ユーザがスワップの売りのオークションに参加するように招待した可能性のあるカウンターパーティのリストを提供し得る。図１２は、例示の特化されたゲストページ１２００を示す。ゲストページ１２００がスワップユーザのＡｕｔｏ  Ｍｏｔｏｒ  Ｃｒｅｄｉｔに、Ａｕｔｏ  Ｍｏｔｏｒ  Ｃｒｅｄｉｔがスワップの売りのオークションに参加するように招待した可能性のあるスワップディーラー（そして他のスワップユーザではない）を選択する機会のみを提供する点で、ゲストページ１２００は特化されている。ユーザは、例えば、ボタン１２１０を押すことによってゲストであることを示すことを終了したことを示し得る。これに応答して、システムは、例えば、オークションのパラメータのページを提供し得る。オークションのパラメータのページは、例えば、オークションが非公開または一般公開であるか、オークションが指値注文、オークションの開始時間、オークションの終了時間（所望の場合）、最低入札額（時に、支払準備率と呼ばれる）を満たし得るか、スワップがいかに確定されるか（例えば、自動的に、電子的に、電話でなど）または他の任意の適切なオークションのパラメータを示す機会をユーザに提供し得る。図１３は、例示のオークションのパラメータのページ１３００を示す。
【００９２】
ユーザがオークションのすべてのパラメータを示したことをユーザが示したことに応答して（例えば、ページ１３００のボタン１３１０を押すことによって）、システムは１つ以上の確定ページを提供し得る。確定ページは、ユーザが示したスワップ条件、ゲスト、オークションのパラメータ、またはこれらの任意の適切な組み合わせを表示し得る。図１４ａおよび図１４ｂは、ユーザのスワップ条件およびオークションのパラメータを表示する、例示の確定ページ１４００を示す。図１４ａはページ１４００の上部を示す。図１４ｂは、ユーザが下方にスクロールしたかまたはページを進めたことに応答して現れ得るページ１４００の下部を示す。ユーザは、例えば、ボタン１４１０を押すことによって売りを確定し得る。これに応答して、システムは、売りを掲示し、ゲストを招待し、そして、スワップのオークションに参加する機会をユーザに提供し得る。
【００９３】
図１５は、例えば、ユーザが売りリストのメニューアイテム７２０を選択したことに応答して、システムが提供し得る例示の売りリストのページ１５００を示す。売りリストのページ１５００は、ユーザが掲示したか、または入札するように招待された現行の売りのリストを提供し得る。この例において、１つの売りのみがある。ユーザは、例えば、スワップの売りに関連付けられたボタン１５１０を押すことによって、スワップの売りの条件を見る希望を示し得る。これに応答して、システムは、売りの条件をリストした電子の条件シートのページを提供し得る。
【００９４】
ユーザは、例えば、売りに関連付けられたボタン１５２０を押すことによって、売りをモニタリングする希望を示し得る。これに応答して、システムは、ユーザのオークションページを提供し得る。売りが一般公開オークションとして掲示されている場合、この売り用のオークションページは、売り用の現行の入札を表示し得る。売りが非公開オークションとして掲示されている場合、この売り用のオークションページは入札を行う機会のみをユーザに提供し得る。
【００９５】
図１６は、登録ユーザに提供され得る一般公開オークションの、例示のオークションのページ１６００を示す。図１６の例は、最高入札（この例においては、最低率）がオークションに勝つ金利スワップのオークションを示す。入札するユーザは、最高入札が勝つまで段階的に入札し得る。図１６に示すように、登録ユーザは、カウンターパーティの入札をリアルタイムで閲覧し得る。ページ１６００は、インジゲータ１６１０など、最高入札のインジゲータも含み得る。インジゲータ１６１０は、例えば、最高入札を強調表示し、最高入札を囲み、または任意の適切な様態で最高入札の特徴の表示を変更し得る。所望の場合、リストの一番上に最高入札が常に表示されるように、入札リストを動的に再度並び替えし得る。
【００９６】
図１７は、ゲストユーザに提供され得る一般公開オークション用の例示のオークションページ１７００を示す。図１７に示すように、ゲストは、入札者のアイデンティティは隠したままで、現行の入札をモニタリングする機会を提供され得る。ページ１７００は、例えば、インジゲータ１７１０などのゲストユーザの現在の入札のインジゲータを含み得る。インジゲータ１７１０は、例えば、ユーザの入札を強調表示し、ユーザの入札を囲み、または任意の適切な様態でユーザの入札の特徴の表示を変更し得る。所望の場合、ページ１７００はさらに、インジゲータ１６１０を含んで最高入札を示し得る。
【００９７】
ページ１７００は、ユーザの入札額を更新し、ユーザの入札を撤回し、最高入札額に勝ち、またはプロキシによって入札する機会をユーザに提供し得る。ユーザは、例えば、テキストボックス１７１５に入札額を入力して、ボタン１７２０を押すことによって、ユーザの入札を更新する希望を示し得る。ユーザは、例えば、ボタン１７４０を押すことによって、最高入札額を所定の量（例えば、１０ｂｐｓ）だけ勝つ希望を示し得る。ユーザは、例えば、ボタン１７３０を押すことによってユーザの入札を撤回する希望を示し得る。これらそれぞれに応答して、システムは登録ユーザのページ１６００（この例においては、Ａｕｔｏ  Ｍｏｔｏｒ  Ｃｒｅｄｉｔのページ１６００）およびゲストユーザのページ１７００（この例においては、Ｂａｎｋ  ｏｆ  ＡｍｅｒｉｃａおよびＢａｎｋ  ｏｆ  Ｍｏｎｔｒｅａｌのページ１７００）の両方を更新して、新しい入札または入札が撤回されたことを反映し得る。更新は、リアルタイムで、固定の期間で、または他の任意の適切なアプローチを用いて行われ得る。ユーザは、プロキシによって入札する希望を、例えば、ユーザの最高入札額をテキストボックス１７１５に入力して、ボタン１７５０を押すことによって示し得る。これに応答して、システムは、ユーザがオークションに勝つまで、ユーザの最高入札額に達するまで、またはオークションが何らかの他の理由で終了するまで、最高入札額より所定量（例えば、１０ｂｐｓ）だけ高い入札を行い続け得る。
【００９８】
図１８は、オークションが終了した場合に、システムが一般公開オークションのゲストに提供し得る、例示のページ１８００を示す。この例において、オークションはその時間が切れたときに終了した。ページ１８００は、オークションが終了した際に現行の入札を示して、所望の場合には、ユーザの勝っている入札を撤回する機会をユーザに提供し得る。ユーザが（例えば、ボタン１７３０を押すことによって）勝っている入札を撤回する希望を示したことに応答して、システムは、入札を撤回し、売り手側ユーザ（ｏｆｆｅｒｉｎｇ  ｕｓｅｒ）に撤回について電子的に通知し得る。システムはさらに、次の最高入札額を受け入れる機会を売り手側ユーザに提供し得る。売り手側ユーザが次の最高入札額を承認したことに応答して、システムは入札しているユーザに承認を電子的に通知し得る。所望の場合、システムは入札しているユーザにユーザの入札を撤回する機会を提供し得る。これは、例えば、入札が承認されるまで（しかし撤回はされない）、または残っている入札がなくなるまで継続し得る。
【００９９】
図１９は、ユーザが（例えば、図７のリンク７９７を選択することによって）ユーザのページを特化する希望を示したことに応答して、システムが提供し得る例示のページ１９００を示す。この例において、ユーザは、スワップパラメータ、ゲストパラメータ、およびユーザのページに含む他の情報を選択し得る。ユーザは、例えば、所望の情報を強調表示して、ボタン１９１０を押すことによって情報を追加し得る。ユーザは、例えば、所望の情報を強調表示して、ボタン１９１５を押すことによって情報を削除し得る。ユーザは、例えば、ボタン１９２０を押すことによってユーザのページを特化することを終了したことを示し得る。
【０１００】
したがって、電子取引を提供するシステムおよび方法を提供する。ユーザは、電子オークションを用いて、デリバティブの売りおよび買いを行い得る。本発明の所定の特徴をスワップ取引システムのコンテキストにおいて説明してきたが、これらの特徴は、他の取引システム、例えば、株式、債務証書、投資信託の株、オプション、または他のエクイティ、債券、デリバティブ、または他の任意の適切な金融資産または債務の取引を行うためのシステムに適用され得る。当業者であれば、上述の実施形態（これは、本発明を限定しないが、説明を明確にするために提示される）以外によって本発明を実施し得、本発明は上掲の特許請求の範囲によってのみ限定されることを理解する。
【図面の簡単な説明】
【図１ａ】
図１ａは、本発明の実施形態によるデリバティブ取引システムのオンライン構成を例示的に示す。
【図１ｂ】
図１ｂは、本発明の実施形態によるデリバティブ取引システムの非オンライン構成を例示的に示す。
【図２】
図２は、本発明の１実施形態による図１ａのアクセスデバイスの例示的な構成を示す。
【図３】
図３は、本発明の１実施形態による図１ａおよび図１ｂの電子取引システムを動作させる工程に包含される工程の一般的なフローチャートを示す。
【図４】
図４は、本発明の１実施形態によるスワップの申し出を提示する工程に包含される工程の一般的なフローチャートを示す。
【図５】
図５は、本発明の１実施形態によるスワップのオークションに参加する機会をユーザに提供する工程に包含される例示的な工程のフローチャートを示す。
【図６】
図６は、本発明の１実施形態による例示的なログインページを示す。
【図７】
図７は、本発明の１実施形態による例示的な申し出の選択ページを示す。
【図８ａ】
図８ａは、本発明の１実施形態による米国ドル（ＵＳＤ）での利率の例示的な期間シートページを示す。
【図８ｂ】
図８ｂは、本発明の１実施形態による米国ドル（ＵＳＤ）での利率の例示的な期間シートページを示す。
【図９】
図９は、本発明の１実施形態による、キャップ、フロア、およびカラーの例示的な期間シートページを示す。
【図１０ａ】
図１０ａは、本発明の１実施形態によるＵＳＤでの利率の例示的な期間シートページを示す。
【図１０ｂ】
図１０ｂは、本発明の１実施形態によるＵＳＤでの利率の例示的な期間シートページを示す。
【図１１】
図１１は、本発明の１実施形態による通貨スワップの例示的な期間シートページを示す。
【図１２】
図１２は、本発明の１実施形態による例示的な招待者ページを示す。
【図１３】
図１３は、本発明の１実施形態による例示的なオークション変数ページを示す。
【図１４ａ】
図１４ａは、本発明の１実施形態による例示的な確認ページを示す。
【図１４ｂ】
図１４ｂは、本発明の１実施形態による例示的な確認ページを示す。
【図１５】
図１５は、本発明の１実施形態による例示的な申し出リストページを示す。
【図１６】
図１６は、本発明の１実施形態による例示的なスワップユーザオークションページを示す。
【図１７】
図１７は、本発明の１実施形態による例示的なスワップディーラー公開オークションページを示す。
【図１８】
図１８は、本発明の１実施形態による例示的なスワップディーラー公開オークションページを示す。
【図１９】
図１９は、本発明の１実施形態による例示的なユーザ確認ページを示す。
【図１ａ】
2004521400.tif 000002
【図１ｂ】
2004521400.tif 000003
【図２】
2004521400.tif 000004
【図３】
2004521400.tif 000005
【図４】
2004521400.tif 000006
【図５】
2004521400.tif 000007
【図６】
2004521400.tif 000008
【図７】
2004521400.tif 000009
【図８ａ】
2004521400.tif 000010
【図８ｂ】
2004521400.tif 000011
【図９】
2004521400.tif 000012
【図１０ａ】
2004521400.tif 000013
【図１０ｂ】
2004521400.tif 000014
【図１１】
2004521400.tif 000015
【図１２】
2004521400.tif 000016
【図１３】
2004521400.tif 000017
【図１４ａ】
2004521400.tif 000018
【図１４ｂ】
2004521400.tif 000019
【図１５】
2004521400.tif 000020
【図１６】
2004521400.tif 000021
【図１７】
2004521400.tif 000022
【図１８】
2004521400.tif 000023
【図１９】
2004521400.tif 000024
【国際公開パンフレット】
2004521400.tif 000025
2004521400.tif 000026
2004521400.tif 000027
2004521400.tif 000028
2004521400.tif 000029
2004521400.tif 000030
2004521400.tif 000031
2004521400.tif 000032
2004521400.tif 000033
2004521400.tif 000034
2004521400.tif 000035
2004521400.tif 000036
2004521400.tif 000037
2004521400.tif 000038
2004521400.tif 000039
2004521400.tif 000040
2004521400.tif 000041
2004521400.tif 000042
2004521400.tif 000043
2004521400.tif 000044
2004521400.tif 000045
2004521400.tif 000046
2004521400.tif 000047
2004521400.tif 000048
2004521400.tif 000049
2004521400.tif 000050
2004521400.tif 000051
2004521400.tif 000052
2004521400.tif 000053
2004521400.tif 000054
2004521400.tif 000055
2004521400.tif 000056
2004521400.tif 000057
2004521400.tif 000058
2004521400.tif 000059
2004521400.tif 000060
2004521400.tif 000061
2004521400.tif 000062
2004521400.tif 000063
2004521400.tif 000064
2004521400.tif 000065
2004521400.tif 000066
2004521400.tif 000067
2004521400.tif 000068
2004521400.tif 000069
2004521400.tif 000070
2004521400.tif 000071
2004521400.tif 000072
2004521400.tif 000073
2004521400.tif 000074
2004521400.tif 000075
2004521400.tif 000076
2004521400.tif 000077
2004521400.tif 000078
2004521400.tif 000079
2004521400.tif 000080
2004521400.tif 000081
2004521400.tif 000082
2004521400.tif 000083
2004521400.tif 000084
2004521400.tif 000085
2004521400.tif 000086
2004521400.tif 000087
2004521400.tif 000088
2004521400.tif 000089
2004521400.tif 000090
2004521400.tif 000091
2004521400.tif 000092
2004521400.tif 000093
2004521400.tif 000094
2004521400.tif 000095
2004521400.tif 000096
2004521400.tif 000097
2004521400.tif 000098
2004521400.tif 000099
2004521400.tif 000100
2004521400.tif 000101
2004521400.tif 000102
2004521400.tif 000103
2004521400.tif 000104
2004521400.tif 000105
2004521400.tif 000106
2004521400.tif 000107
2004521400.tif 000108
2004521400.tif 000109
2004521400.tif 000110
2004521400.tif 000111
2004521400.tif 000112
2004521400.tif 000113
2004521400.tif 000114
2004521400.tif 000115
2004521400.tif 000116
2004521400.tif 000117
2004521400.tif 000118
2004521400.tif 000119
2004521400.tif 000120
2004521400.tif 000121
2004521400.tif 000122
2004521400.tif 000123
2004521400.tif 000124
2004521400.tif 000125
2004521400.tif 000126
2004521400.tif 000127
2004521400.tif 000128
2004521400.tif 000129
2004521400.tif 000130
2004521400.tif 000131